(57)【要約】【課題】複数のコンテンツに対応する複数の画像を表示するための表示システムを提供する。【解決手段】表示システムは、表示パネル、パネル駆動部、画像処理部、タイミング制御部、及び光源部を備える。表示パネルは画像を表示する。パネル駆動部は表示パネルにデータ信号を提供する。画像処理部は、複数のコンテンツのそれぞれに対応する複数の画像信号間の同期を合わせる同期部、画像信号のそれぞれを表示パネルの解像度を有する画像フレームにスケーリングして複数の画像フレームを順次に出力するスケーリング部、及び画像フレームのそれぞれに対応する複数の画像フレームを生成する追加画像生成部を含む。タイミング制御部はコンテンツのそれぞれに対応する複数の画像フレームをパネル駆動部に提供する。光源部は表示パネルに光を提供する。【選択図】図１
2012209938.tif 000002
【特許請求の範囲】
【請求項１】
画像を表示する表示パネルと、
前記表示パネルにデータ信号を提供するパネル駆動部と、
複数のコンテンツのそれぞれに対応する複数の画像信号間の同期を合わせる同期部、前記画像信号のそれぞれを前記表示パネルの解像度を有する画像フレームにスケーリングして複数の画像フレームを順次に出力するスケーリング部、及び前記画像フレームのそれぞれに対応する複数の画像フレームを生成する追加画像生成部を含む画像処理部と、
前記コンテンツのそれぞれに対応する複数の画像フレームを前記パネル駆動部に提供するタイミング制御部と、
前記表示パネルに光を提供する光源部と、を備えることを特徴とする表示システム。
【請求項２】
前記同期部は、前記コンテンツに対応する前記画像信号が圧縮された圧縮画像フレームを受信した場合、前記圧縮画像フレームを前記画像信号に分離し、分離した前記画像信号間の同期を合わせることを特徴とする請求項１に記載の表示システム。
【請求項３】
前記同期部は、前記コンテンツに対応して前記表示パネルの解像度を有する複数の画像フレームを受信した場合、受信した前記画像フレーム間の同期を合わせ、
前記スケーリング部は、同期した前記画像フレームを順次に出力することを特徴とする請求項１に記載の表示システム。
【請求項４】
前記光源部は、前記表示パネルの画像スキャニング方向に配列された複数の発光ブロックを含み、
各発光ブロックは、対向する前記表示パネルの表示ブロックに、一つの画像が表示される第１区間で光を提供し、互いに異なる画像が混在する混在画像が表示される第２区間で光を遮断することを特徴とする請求項１に記載の表示システム。
【請求項５】
前記タイミング制御部は、第１コンテンツに対応する第１画像フレームと第２コンテンツに対応する第１画像フレームとの間にブラック画像フレームを挿入して前記パネル駆動部に提供することを特徴とする請求項１に記載の表示システム。
【請求項６】
前記画像処理部は、一つのコンテンツに対応する左眼用画像信号及び右眼用画像信号を受信した場合、前記一つのコンテンツに対応する４つの左眼用画像フレーム及び４つの右眼用画像フレームを前記タイミング制御部に提供することを特徴とする請求項５に記載の表示システム。
【請求項７】
前記タイミング制御部は、４つの左眼用画像フレーム及び４つの右眼用画像フレームを順に前記パネル駆動部に提供することを特徴とする請求項６に記載の表示システム。
【請求項８】
前記画像処理部は、２つのコンテンツに対応する第１左眼用画像信号、第１右眼用画像信号、第２左眼用画像信号、及び第２右眼用画像信号を受信した場合、前記２つのコンテンツに対応する２つの第１左眼用画像フレーム、２つの第１右眼用画像フレーム、２つの第２左眼用画像フレーム、及び２つの第２右眼用画像フレームを生成して前記タイミング制御部に提供することを特徴とする請求項５に記載の表示システム。
【請求項９】
前記画像処理部は、２つのコンテンツに対応する第１画像信号及び第２画像信号を受信した場合、前記２つのコンテンツに対応する４つの第１画像フレーム及び４つの第２画像フレームを前記タイミング制御部に提供することを特徴とする請求項５に記載の表示システム。
【請求項１０】
前記画像処理部は、４つのコンテンツに対応する第１画像信号、第２画像信号、第３画像信号、及び第４画像信号を受信した場合、前記４つのコンテンツに対応する２つの第１画像フレーム、２つの第２画像フレーム、２つの第３画像フレーム、及び２つの第４画像フレームを生成して前記タイミング制御部に提供することを特徴とする請求項５に記載の表示システム。
【発明の詳細な説明】
【技術分野】
【０００１】
本発明は表示システムに係り、より詳細には、複数のコンテンツに対応する映像を表示するための表示システムに関する。
【背景技術】
【０００２】
立体映像の３次元映像は、人の両眼を通じた両眼視差（ｂｉｎｏｃｕｌａｒ  ｐａｒａｌｌａｘ）の原理を利用して立体画像を表示する。例えば、人の両眼は、一定程度離れているので、それぞれの目で異なる角度で観察した画像が脳内に入力される。立体画像表示装置は、こうした両眼視差を利用している。
【０００３】
両眼視差を利用する立体画像表示装置の方式としては、メガネ方式（ｓｔｅｒｅｏｓｃｏｐｉｃ）と非メガネ方式（ａｕｔｏｓｔｅｒｅｏｓｃｏｐｉｃ）がある。メガネ方式には、両眼に各々異なる偏光軸を有する偏光フィルタによる受動的（ｐａｓｓｉｖｅ）偏光メガネ（Ｐｏｌａｒｉｚｅｄ  Ｇｌａｓｓｅｓ）方式と、時間分割して左眼画像と右眼画像を周期的に表示し、この周期に同期した左眼シャッタと右眼シャッタを開閉する眼鏡をかける能動的（ａｃｔｉｖｅ）シャッタメガネ（Ｓｈｕｔｔｅｒ  Ｇｌａｓｓ）方式などがある。
【０００４】
最近、ゲーム、映画などの分野で３次元立体画像に対する需要が増加し、２次元画像は勿論、３次元立体画像を表示する表示装置が開発されている。
【先行技術文献】
【特許文献】
【０００５】
【特許文献１】米国特許５，９６３，３７１号明細書
【特許文献２】米国特許出願公開第２０１０／０１７７１７４号明細書
【特許文献３】米国特許７，８０８，４４９号明細書
【特許文献４】米国特許６，９２４，８３３号明細書
【発明の概要】
【発明が解決しようとする課題】
【０００６】
本発明は上記従来技術に鑑みてなされたものであって、本発明の目的は、複数のコンテンツに対応する複数の画像を表示するための表示システムを提供することにある。
【課題を解決するための手段】
【０００７】
上記目的を達成するためになされた本発明の一態様による表示システムは、表示パネル、パネル駆動部、画像処理部、タイミング制御部、及び光源部を備える。前記表示パネルは画像を表示する。前記パネル駆動部は前記表示パネルにデータ信号を提供する。前記画像処理部は、複数のコンテンツのそれぞれに対応する複数の画像信号間の同期を合わせる同期部、前記画像信号のそれぞれを前記表示パネルの解像度を有する画像フレームにスケーリングして複数の画像フレームを順次に出力するスケーリング部、及び前記画像フレームのそれぞれに対応する複数の画像フレームを生成する追加画像生成部を含む。前記タイミング制御部は前記コンテンツのそれぞれに対応する複数の画像フレームを前記パネル駆動部に提供する。前記光源部は前記表示パネルに光を提供する。
【０００８】
一実施形態において、前記同期部は、前記コンテンツに対応する前記画像信号が圧縮された圧縮画像フレームを受信した場合、前記圧縮画像フレームを前記画像信号に分離し、分離した前記画像信号間の同期を合わせることができる。
【０００９】
一実施形態において、前記同期部は、前記コンテンツに対応して前記表示パネルの解像度を有する前記画像フレームを受信した場合、受信した前記画像フレーム間の同期を合わせ、前記スケーリング部は、同期した前記画像フレームを順次に出力することができる。
【００１０】
一実施形態において、前記光源部は、前記表示パネルの画像スキャニング方向に配列された複数の発光ブロックを含み、各発光ブロックは、対向する前記表示パネルの表示ブロックに、一つの画像が表示される第１区間で光を提供し、互いに異なる画像が混在する混在画像が表示される第２区間で光を遮断することができる。
【００１１】
一実施形態において、前記タイミング制御部は、第１コンテンツに対応する第１画像フレームと第２コンテンツに対応する第１画像フレームとの間にブラック画像フレームを挿入して前記パネル駆動部に提供することができる。
【発明の効果】
【００１２】
本発明の表示システムによれば、使用者による選択に従って、複数のコンテンツに対応する３次元又は２次元画像を表示することができる。
【図面の簡単な説明】
【００１３】
【図１】本発明の一実施形態による表示システムのブロック図である。
【図２】図１に示した表示システムによる画像表示方法を説明するためのフローチャートである。
【図３】図１の表示装置による３次元画像信号の処理方法を説明するための概念図である。
【図４】図１の表示装置による３次元画像の表示方法を説明するための波形図である。
【図５】図１の表示装置の他の実施形態による３次元画像の表示方法を説明するための波形図である。
【図６】図１の表示装置の更に他の実施形態による３次元画像の表示方法を説明するための波形図である。
【図７】図１の表示装置に多様な方式で受信される３次元画像信号の処理方法を説明するための概念図である。
【図８】図１の表示装置に多様な方式で受信される３次元画像信号の処理方法を説明するための概念図である。
【図９】図１の表示装置による２コンテンツの３次元画像信号の処理方法を説明するための概念図である。
【図１０】図１の表示装置による２コンテンツの３次元画像の表示方法を説明するための波形図である。
【図１１】図１の表示装置の他の実施形態による２コンテンツの３次元画像の表示方法を説明するための波形図である。
【図１２】図１の表示装置に多様な方式で受信される２コンテンツの３次元画像信号の処理方法を説明するための概念図である。
【図１３】図１の表示装置に多様な方式で受信される２コンテンツの３次元画像信号の処理方法を説明するための概念図である。
【図１４】図１の表示装置に多様な方式で受信される２コンテンツの３次元画像信号の処理方法を説明するための概念図である。
【図１５】図１の表示装置による２コンテンツの２次元画像信号の処理方法を説明するための概念図である。
【図１６】図１の表示装置による２コンテンツの２次元画像の表示方法を説明するための波形図である。
【図１７】図１の表示装置の他の実施形態による２コンテンツの２次元画像の表示方法を説明するための波形図である。
【図１８】図１の表示装置に多様な方式で受信される２コンテンツの２次元画像信号の処理方法を説明するための概念図である。
【図１９】図１の表示装置に多様な方式で受信される２コンテンツの２次元画像信号の処理方法を説明するための概念図である。
【図２０】図１の表示装置による４コンテンツの２次元画像信号の処理方法を説明するための概念図である。
【図２１】図１の表示装置による４コンテンツの２次元画像の表示方法を説明するための波形図である。
【図２２】図１の表示装置の他の実施形態による４コンテンツの２次元画像の表示方法を説明するための波形図である。
【図２３】図１の表示装置に多様な方式で受信される４つの２次元画像信号の処理方法を説明するための概念図である。
【図２４】図１の表示装置に多様な方式で受信される４つの２次元画像信号の処理方法を説明するための概念図である。
【図２５】図１の表示装置に多様な方式で受信される４つの２次元画像信号の処理方法を説明するための概念図である。
【発明を実施するための最良の形態】
【００１４】
以下、本発明の表示システムを実施するための形態の具体例を、図面を参照しながら詳細に説明する。
【００１５】
図１は、本発明の一実施形態による表示装置のブロック図である。
図１を参照すると、表示システムは、画像処理部１００、タイミング制御部２００、表示パネル３００、パネル駆動部４００、光源部５００、光源駆動部６００、及びシャッタメガネ部７００を含む。
【００１６】
画像処理部１００は、画像モードにより、受信した画像信号を画像処理して複数の画像フレームを出力する。画像モードは、１つのコンテンツに対応する３次元画像を表示する３次元ソロ（１ビューア）モードと、複数のコンテンツに対応する複数の３次元画像を表示する３次元マルチモードと、１つのコンテンツに対応する２次元画像を表示する２次元ソロ（１ビューア）モードと、複数のコンテンツに対応する複数の２次元画像を表示する２次元マルチモードと、を含む。３次元マルチモードは、２つの３次元コンテンツに対応する３次元画像を表示する３次元２ビューアモードを含み、２次元マルチモードは、２つの２次元コンテンツに対応する２次元画像を表示する２次元２ビューアモード、及び４つの２次元コンテンツに対応する２次元画像を表示する２次元４ビューアモードを含み得る。
【００１７】
画像処理部１００は、同期部１１０、スケーリング部１３０、及び追加画像生成部１５０を含む。同期部１１０は、画像モードに従って、受信した少なくとも一つ以上の画像信号の同期を合わせる。スケーリング部１３０は、同期部１１０から提供されたそれぞれの画像信号を表示パネル３００の解像度に対応する画像フレームにスケーリングし、画像モード別に、設定された順に画像フレームを出力する。追加画像生成部１５０は、各画像フレームを利用して複数の画像フレームを出力する。追加画像生成部１５０は、各画像フレームを繰り返すか、又はＭＥＭＣ（ｍｏｔｉｏｎ  ｅｓｔｉｍａｔｉｏｎ  ａｎｄ  ｍｏｔｉｏｎ  ｃｏｍｐｅｎｓａｔｉｏｎ）技術を適用して複数の画像フレームを出力することができる。例えば、追加画像生成部１５０は、１秒に３８４枚、４００枚、又は４８０枚の画像フレームを出力する。以下の実施形態では１秒に４８０枚の画像フレームを出力することを例として説明する。
【００１８】
タイミング制御部２００は、画像処理部１００から提供された画像フレームの画像データをパネル駆動部４００に提供する。タイミング制御部２００は、駆動タイミングを制御するタイミング制御信号をパネル駆動部４００に提供する。
【００１９】
表示パネル３００は、複数のデータラインＤＬ、データラインＤＬと交差する複数のゲートラインＧＬ、及び複数の画素Ｐを含む。
【００２０】
パネル駆動部４００は、データ駆動部４１０及びゲート駆動部４３０を含む。データ駆動部４１０は、画像データをアナログ形態のデータ信号に変換して表示パネル３００のデータラインＤＬに出力する。ゲート駆動部４３０は、タイミング制御信号に基づいてゲート信号を生成して表示パネル３００のゲートラインＧＬに出力する。
【００２１】
光源部５００は、表示パネル３００に光を提供する。光源部５００は、表示パネル３００に画像がスキャニングされる方向に配列された複数の発光ブロック（ＬＢ１、ＬＢ２、…、ＬＢｎ）（ｎは自然数）を含む。発光ブロック（ＬＢ１、ＬＢ２、…、ＬＢｎ）は対向する表示パネル３００の表示ブロック（ＤＢ１、ＤＢ２、…、ＤＢｎ）に光を提供する。例えば、第１発光ブロックＬＢ１は第１表示ブロックＤＢ１に光を提供する。光源部５００は、直下型又はエッジ型で配列された複数の光源を含む。光源は蛍光ランプ又は発光ダイオードであり得る。
【００２２】
光源駆動部６００は、タイミング制御部２００から提供された画像モードに対応するモード信号に基づいて駆動信号を生成し、駆動信号を光源部５００に提供する。
【００２３】
シャッタメガネ部７００は、少なくとも一つのシャッタメガネ（ＳＧ１、…、ＳＧｋ）（ｋは２以上の自然数）を含む。各シャッタメガネＳＧ１は、左眼シャッタ７１０及び右眼シャッタ７２０を含み、画像モードにより、タイミング制御部１００から提供されたシャッタ制御信号に基づいて左眼シャッタ７１０及び右眼シャッタ７２０の開閉を制御する。
【００２４】
以下では、本発明の各画像モードによる画像表示方法の例を説明する。
図２は、図１に示した表示システムによる画像表示方法を説明するためのフローチャートであり、図３は、図１の表示装置による３次元画像信号の処理方法を説明するための概念図であり、図４は、図１の表示装置による３次元画像の表示方法を説明するための波形図である。以下、本発明の実施形態では、左眼用画像フレームＬＦはホワイト階調の画像フレームであり、右眼用画像フレームＲＦはブラック階調の画像フレームである。図２、図３、及び図４を参照すると、画像処理部１００は、３次元ソロ（１ビューア）モードに対応する画像モード信号及び３次元画像信号を受信する（ステップＳ１１０）。
【００２５】
画像処理部１００は、互いに異なる伝送チャネルを通じて受信される左眼用画像信号と右眼用画像信号を受信する。画像処理部１００は、左眼用画像信号及び右眼用画像信号を、複数の左眼用画像フレームと複数の右眼用画像フレームで出力する（ステップＳ１３０）。
【００２６】
例えば、同期部１１０は、互いに異なる伝送チャネルを通じて、左眼用画像信号又は右眼用画像信号を受信する。左眼用又は右眼用画像信号は、表示パネル３００の解像度に対応するデータサイズを有する左眼用又は右眼用画像フレーム（ＬＦ  ｏｒ  ＲＦ）である。同期部１１０は、左眼用画像フレームＬＦと右眼用画像フレームＲＦとの間の同期を合わせて出力する。
【００２７】
スケーリング部１３０は、左眼用画像フレームＬＦ及び右眼用画像フレームＲＦのそれぞれを表示パネル３００の解像度でスケーリングし、スケーリングした左眼用画像フレームＬＦ及び右眼用画像フレームＲＦを、設定された順に出力する。スケーリング部１３０は受信した画像信号が表示パネル３００の解像度に対応するデータサイズを有する場合、スケーリングは遂行せずに、受信した画像信号を設定された順に出力する。
【００２８】
追加画像生成部１５０は、スケーリング部１３０で出力された順序どおりの画像フレームを繰り返して複数の画像フレームを生成する。例えば、先に受信した左眼用画像フレームＬＦを繰り返して４つの左眼用画像フレームを出力し、続いて右眼用画像フレームＲＦを繰り返して４つの右眼用画像フレームを出力する。
【００２９】
画像処理部１００は、４つの左眼用画像フレームと４つの右眼用画像フレームをタイミング制御部２００に提供する。
【００３０】
タイミング制御部２００は、４つの左眼用画像フレームと４つの右眼用画像フレームに基づいて、パネル駆動部４００及び光源駆動部６００を制御して表示パネル３００に３次元画像を表示する（ステップＳ１５０）。
【００３１】
図４を参照すると、タイミング制御部２００は、４つの左眼用画像フレームＬＦと４つの右眼用画像フレームＲＦを順番どおりにパネル駆動部４００に提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動できる。
【００３２】
表示パネル３００の第１表示ブロックＤＢ１を調べると、パネル駆動部４００は、第ｍフレームＦｍ、第（ｍ＋１）フレームＦｍ＋１、第（ｍ＋２）フレームＦｍ＋２、及び第（ｍ＋３）フレームＦｍ＋３のそれぞれの初期に左眼用画像フレームＬＦのデータ信号を出力し、第（ｍ＋４）フレームＦｍ＋４、第（ｍ＋５）フレームＦｍ＋５、第（ｍ＋６）フレームＦｍ＋６、及び第（ｍ＋７）フレームＦｍ＋７のそれぞれの初期に右眼用画像フレームＲＦのデータ信号を出力する（ＤＢ１＿ＤＡＴＡ）。
【００３３】
光源駆動部６００は、タイミング制御部２００の制御によって液晶応答ＬＣが考慮された第１駆動信号ＬＢＳ１を生成して、第１表示ブロックＤＢ１に対向する第１発光ブロックＬＢ１に提供する。即ち、第１発光ブロックＬＢ１は、第１表示ブロックＤＢ１に左眼用又は右眼用画像が完成する第１区間Ｔ１で光を発生して提供し、第１表示ブロックＤＢ１に左眼用及び右眼用画像が混在する混在画像が表示される第２区間Ｔ２で光を遮断する。
【００３４】
表示パネル３００の第５表示ブロックＤＢ５を調べると、パネル駆動部４００は、第ｍフレームＦｍ、第（ｍ＋１）フレームＦｍ＋１、第（ｍ＋２）フレームＦｍ＋２、及び第（ｍ＋３）フレームＦｍ＋３のそれぞれの中期に左眼用画像フレームＬＦのデータ信号を出力し、第（ｍ＋４）フレームＦｍ＋４、第（ｍ＋５）フレームＦｍ＋５、第（ｍ＋６）フレームＦｍ＋６、及び第（ｍ＋７）フレームＦｍ＋７のそれぞれの中期に右眼用画像フレームＲＦのデータ信号を出力する（ＤＢ５＿ＤＡＴＡ）。
【００３５】
光源駆動部６００は、タイミング制御部２００の制御によって液晶応答ＬＣが考慮された第５駆動信号ＬＢＳ５を生成して、第５表示ブロックＤＢ５に対向する第５発光ブロックＬＢ５に提供する。即ち、第５発光ブロックＬＢ５は、第５表示ブロックＤＢ５に左眼用又は右眼用画像が完成する第１区間Ｔ１で光を発生して提供し、第５表示ブロックＤＢ５に左眼用及び右眼用画像が混在する混在画像が表示される第２区間Ｔ２で光を遮断する。
【００３６】
表示パネル３００の第８表示ブロックＤＢ８を調べると、パネル駆動部４００は、第ｍフレームＦｍ、第（ｍ＋１）フレームＦｍ＋１、第（ｍ＋２）フレームＦｍ＋２、及び第（ｍ＋３）フレームＦｍ＋３のそれぞれの後期に左眼用画像フレームＬＦのデータ信号を出力し、第（ｍ＋４）フレームＦｍ＋４、第（ｍ＋５）フレームＦｍ＋５、第（ｍ＋６）フレームＦｍ＋６、及び第（ｍ＋７）フレームＦｍ＋７のそれぞれの後期に右眼用画像フレームＲＦのデータ信号を出力する（ＤＢ８＿ＤＡＴＡ）。
【００３７】
光源駆動部６００は、タイミング制御部２００の制御によって液晶応答ＬＣが考慮された第８駆動信号ＬＢＳ８を生成して、第８表示ブロックＤＢ８に対向する第８発光ブロックＬＢ８に提供する。即ち、第８発光ブロックＬＢ８は、第８表示ブロックＤＢ８に左眼用又は右眼用画像が完成する第１区間Ｔ１で光を発生して提供し、第８表示ブロックＤＢ８に左眼用及び右眼用画像が混在する混在画像が表示される第２区間Ｔ２で光を遮断する。このような方式で、表示パネル３００及び光源部５００を駆動して３次元画像の左眼用及び右眼用画像を表示する。
【００３８】
シャッタメガネ部７００は、３次元ソロモードに従って、タイミング制御部２００の制御によって１つのシャッタメガネを駆動する（ステップＳ１７０）。
【００３９】
シャッタメガネは、左眼シャッタ信号ＬＳＳ１に基づいて開閉される左眼シャッタと、右眼シャッタ信号ＲＳＳ１に基づいて開閉される右眼シャッタを含む。
【００４０】
左眼シャッタ信号ＬＳＳ１は、表示ブロック（ＤＢ１、ＤＢ２、…、ＤＢ８）に表示される左眼用画像に対応して発光ブロック（ＬＢ１、ＬＢ２、…、ＬＢ８）が光を発生する第１区間Ｔ１を含む左眼視認区間ＬＶＰで左眼シャッタ７１０を開き、表示ブロック（ＤＢ１、ＤＢ２、…、ＤＢ８）に表示される右眼用画像に対応して発光ブロック（ＬＢ１、ＬＢ２、…、ＬＢ８）が光を発生する第１区間Ｔ１を含む右眼視認区間ＲＶＰで左眼シャッタ７１０を閉じるように制御する。
【００４１】
右眼シャッタ信号ＲＳＳ１は、表示ブロック（ＤＢ１、ＤＢ２、…、ＤＢ８）に表示される右眼用画像に対応して発光ブロック（ＬＢ１、ＬＢ２、…、ＬＢ８）が光を発生する第１区間Ｔ１を含む右眼視認区間ＲＶＰで右眼シャッタ７２０を開き、表示ブロック（ＤＢ１、ＤＢ２、…、ＤＢ８）に表示される左眼用画像に対応して発光ブロック（ＬＢ１、ＬＢ２、…、ＬＢ８）が光を発生する第１区間Ｔ１を含む左眼視認区間ＬＶＰで右眼シャッタを閉じるように制御する。シャッタメガネは６０Ｈｚで駆動できる。
【００４２】
図５は、図１の表示装置の他の実施形態による３次元画像の表示方法を説明するための波形図である。図５では、左眼用画像フレームＬＦはホワイト階調の画像フレームを、右眼用画像フレームＲＦはブラック階調の画像フレームを例として説明する。
【００４３】
図２、図３、及び図５を参照すると、画像処理部１００は、３次元ソロ（１ビューア）モードに対応する画像モード信号及び３次元画像信号を受信する（ステップＳ１１０）。
【００４４】
画像処理部１００は、互いに異なる伝送チャネルを通じて受信した左眼用画像フレームＬＦと右眼用画像フレームＲＦを、複数の左眼用画像フレームＬＦと複数の右眼用画像フレームＲＦで出力する（ステップＳ１３０）。
【００４５】
タイミング制御部２００は、左眼用画像フレームＬＦと右眼用画像フレームＲＦに基づいて、パネル駆動部４００及び光源駆動部６００を制御して表示パネル３００に３次元画像を表示する（ステップＳ１５０）。
【００４６】
図５を参照すると、タイミング制御部２００は、２つの左眼用画像フレームＬＦ、２つの右眼用画像フレームＲＦ、２つの左眼用画像フレームＬＦ、及び２つの右眼用画像フレームＲＦを順にパネル駆動部４００に提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動することができる。
【００４７】
表示パネル３００の第１表示ブロックＤＢ１を調べると、パネル駆動部４００は、第ｍフレームＦｍ及び第（ｍ＋１）フレームＦｍ＋１のそれぞれの初期に左眼用画像フレームＬＦのデータ信号を出力し、第（ｍ＋２）フレームＦｍ＋２及び第（ｍ＋３）フレームＦｍ＋３のそれぞれの初期に右眼用画像フレームＲＦのデータ信号を出力し、第（ｍ＋４）フレームＦｍ＋４及び第（ｍ＋５）フレームＦｍ＋５のそれぞれの初期に左眼用画像フレームＬＦのデータ信号を出力し、第（ｍ＋６）フレームＦｍ＋６及び第（ｍ＋７）フレームＦｍ＋７のそれぞれの初期に右眼用画像フレームＲＦのデータ信号を出力する（ＤＢ１＿ＤＡＴＡ）。
【００４８】
光源駆動部６００は、タイミング制御部２００の制御によって液晶応答ＬＣが考慮された第１駆動信号ＬＢＳ１を生成して、第１表示ブロックＤＢ１に対向する第１発光ブロックＬＢ１に提供する。即ち、第１発光ブロックＬＢ１は、第１表示ブロックＤＢ１に左眼用又は右眼用画像が完成する第１区間Ｔ１で光を発生して提供し、第１表示ブロックＤＢ１に左眼用及び右眼用画像が混在する混在画像が表示される第２区間Ｔ２で光を遮断する。
【００４９】
表示パネル３００の第５表示ブロックＤＢ５を調べると、パネル駆動部４００は、第ｍフレームＦｍ及び第（ｍ＋１）フレームＦｍ＋１のそれぞれの中期に左眼用画像フレームＬＦのデータ信号を出力し、第（ｍ＋２）フレームＦｍ＋２及び第（ｍ＋３）フレームＦｍ＋３のそれぞれの中期に右眼用画像フレームＲＦのデータ信号を出力し、第（ｍ＋４）フレームＦｍ＋４及び第（ｍ＋５）フレームＦｍ＋５のそれぞれの中期に左眼用画像フレームＬＦのデータ信号を出力し、第（ｍ＋６）フレームＦｍ＋６及び第（ｍ＋７）フレームＦｍ＋７のそれぞれの中期に右眼用画像フレームＲＦのデータ信号を出力する（ＤＢ５＿ＤＡＴＡ）。
【００５０】
光源駆動部６００は、タイミング制御部２００の制御によって液晶応答ＬＣが考慮された第５駆動信号ＬＢＳ５を生成して、第５表示ブロックＤＢ５に対向する第５発光ブロックＬＢ５に提供する。即ち、第５発光ブロックＬＢ５は、第５表示ブロックＤＢ５に左眼用又は右眼用画像が完成する第１区間Ｔ１で光を発生して提供し、第５表示ブロックＤＢ５に左眼用及び右眼用画像が混在する混在画像が表示される第２区間Ｔ２で光を遮断する。
【００５１】
表示パネル３００の第８表示ブロックＤＢ８を調べると、パネル駆動部４００は、第ｍフレームＦｍ及び第（ｍ＋１）フレームＦｍ＋１のそれぞれの後期に左眼用画像フレームＬＦのデータ信号を出力し、第（ｍ＋２）フレームＦｍ＋２及び第（ｍ＋３）フレームＦｍ＋３のそれぞれの後期に右眼用画像フレームＲＦのデータ信号を出力し、第（ｍ＋４）フレームＦｍ＋４及び第（ｍ＋５）フレームＦｍ＋５のそれぞれの後期に左眼用画像フレームＬＦのデータ信号を出力し、第（ｍ＋６）フレームＦｍ＋６及び第（ｍ＋７）フレームＦｍ＋７のそれぞれの後期に右眼用画像フレームＲＦのデータ信号を出力する（ＤＢ８＿ＤＡＴＡ）。
【００５２】
光源駆動部６００は、タイミング制御部２００の制御によって液晶応答ＬＣが考慮された第８駆動信号ＬＢＳ８を生成して、第８表示ブロックＤＢ８に対向する第８発光ブロックＬＢ８に提供する。即ち、第８発光ブロックＬＢ８は、第８表示ブロックＤＢ８に左眼用又は右眼用画像が完成する第１区間Ｔ１で光を発生して提供し、第８表示ブロックＤＢ８に左眼用及び右眼用画像が混在する混在画像が表示される第２区間Ｔ２で光を遮断する。このような方式で、表示パネル３００及び光源部５００を駆動して３次元画像の左眼用及び右眼用画像を表示する。
【００５３】
シャッタメガネ部７００は、３次元ソロモードに従って、タイミング制御部２００の制御によって１つのシャッタメガネを駆動する（ステップＳ１７０）。
【００５４】
左眼シャッタ信号ＬＳＳ１は、表示ブロック（ＤＢ１、ＤＢ２、…、ＤＢ８）に表示される左眼用画像に対応して発光ブロック（ＬＢ１、ＬＢ２、…、ＬＢ８）が光を発生する第１区間Ｔ１を含む左眼視認区間ＬＶＰで左眼シャッタを開き、表示ブロック（ＤＢ１、ＤＢ２、…、ＤＢ８）に表示される右眼用画像に対応して発光ブロック（ＬＢ１、ＬＢ２、…、ＬＢ８）が光を発生する第１区間Ｔ１を含む右眼視認区間ＲＶＰで左眼シャッタを閉じるように制御する。
【００５５】
右眼シャッタ信号ＲＳＳ１は、表示ブロック（ＤＢ１、ＤＢ２、…、ＤＢ８）に表示される右眼用画像に対応して発光ブロック（ＬＢ１、ＬＢ２、…、ＬＢ８）が光を発生する第１区間Ｔ１を含む右眼視認区間ＲＶＰで右眼シャッタを開き、表示ブロック（ＤＢ１、ＤＢ２、…、ＤＢ８）に表示される左眼用画像に対応して発光ブロック（ＬＢ１、ＬＢ２、…、ＬＢ８）が光を発生する第１区間Ｔ１を含む左眼視認区間ＬＶＰで右眼シャッタを閉じるように制御する。シャッタメガネは１２０Ｈｚで駆動できる。
【００５６】
図６は、図１の表示装置の更に他の実施形態による３次元画像の表示方法を説明するための波形図である。図６では、左眼用画像フレームＬＦはホワイト階調の画像フレームを、右眼用画像フレームＲＦはブラック階調の画像フレームを例として説明する。
【００５７】
図２、図３、及び図６を参照すると、画像処理部１００は、３次元ソロ（１ビューア）モードに対応する画像モード信号及び３次元画像信号を受信する（ステップＳ１１０）。
【００５８】
画像処理部１００は、互いに異なる伝送チャネルを通じて受信した左眼用画像フレームＬＦと右眼用画像フレームＲＦを、複数の左眼用画像フレームＬＦと複数の右眼用画像フレームＲＦで出力する（ステップＳ１３０）。
【００５９】
タイミング制御部２００は、左眼用画像フレームＬＦと右眼用画像フレームＲＦに基づいて、パネル駆動部４００及び光源駆動部６００を制御して表示パネル３００に３次元画像を表示する（ステップＳ１５０）。
【００６０】
図６を参照すると、タイミング制御部２００は、左眼用画像と右眼用画像との間のクロストークを減らすために左眼用画像フレームと右眼用画像フレームとの間にブラック画像フレームを挿入する。
【００６１】
タイミング制御部２００は、左眼用画像フレームＬＦ、ブラック画像フレームＢＦ、右眼用画像フレームＲＦ、ブラック画像フレームＢＦ、左眼用画像フレームＬＦ、ブラック画像フレームＢＦ、右眼用画像フレームＲＦ、及びブラック画像フレームＢＦを順にパネル駆動部４００に提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動することができる。
【００６２】
表示パネル３００の第１表示ブロックＤＢ１を調べると、パネル駆動部４００は、第ｍフレームＦｍの初期に左眼用画像フレームＬＦのデータ信号を出力し、第（ｍ＋１）フレームＦｍ＋１の初期にブラック画像フレームＢＦのデータ信号を出力し、第（ｍ＋２）フレームＦｍ＋２の初期に右眼用画像フレームＲＦのデータ信号を出力し、第（ｍ＋３）フレームＦｍ＋３の初期にブラック画像フレームＢＦのデータ信号を出力し、第（ｍ＋４）フレームＦｍ＋４の初期に左眼用画像フレームＬＦのデータ信号を出力し、第（ｍ＋５）フレームＦｍ＋５の初期にブラック画像フレームＢＦのデータ信号を出力し、第（ｍ＋６）フレームＦｍ＋６の初期に右眼用画像フレームＲＦのデータ信号を出力し、第（ｍ＋７）フレームＦｍ＋７の初期にブラック画像フレームＢＦのデータ信号を出力する（ＤＢ１＿ＤＡＴＡ）。
【００６３】
光源駆動部６００は、タイミング制御部２００の制御によって液晶応答ＬＣが考慮された第１駆動信号ＬＢＳ１を生成して、第１表示ブロックＤＢ１に対向する第１発光ブロックＬＢ１に提供する。即ち、第１発光ブロックＬＢ１は、第１表示ブロックＤＢ１に左眼用又は右眼用画像が完成する第１区間Ｔ１で光を発生して提供し、第１表示ブロックＤＢ１に左眼用及び右眼用画像が混在する混在画像が表示される第２区間Ｔ２で光を遮断する。このような方式で、表示パネル３００及び光源部５００を駆動して３次元画像の左眼用及び右眼用画像を表示する。
【００６４】
シャッタメガネ部７００は、３次元ソロモードに従って、タイミング制御部２００の制御によって１つのシャッタメガネを駆動する（ステップＳ１７０）。シャッタメガネを駆動する第１左眼シャッタ信号ＬＳＳ１及び第１右眼シャッタ信号ＲＳＳ１のそれぞれは１２０Ｈｚで駆動できる。
【００６５】
本実施形態による第１左眼シャッタ信号ＬＳＳ１及び第１右眼シャッタ信号ＲＳＳ１のそれぞれは、ブラック画像フレームＢＦにより、図５に示した第１左眼シャッタ信号ＬＳＳ１及び第１右眼シャッタ信号ＲＳＳ１と遅延差を有する。
【００６６】
図７及び図８は、図１の表示装置に多様な方式で受信される３次元画像信号の処理方法を説明するための概念図である。
【００６７】
図１及び図７を参照すると、同期部１１０は、伝送チャネルを通じて転送された左眼用画像信号Ｌ及び右眼用画像信号Ｒが圧縮された圧縮画像フレームＣＦを受信する。圧縮画像フレームＣＦは、サイドバイサイド（ｓｉｄｅ−ｂｙ−ｓｉｄｅ）方式、トップボトム（ｔｏｐ−ｂｏｔｔｏｍ）方式、水平インターリーブ（ｈｏｒｉｚｏｎｔａｌ  ｉｎｔｅｒｌｅａｖｅ）方式、垂直インターリーブ（ｖｅｒｔｉｃａｌ  ｉｎｔｅｒｌｅａｖｅ）方式、及びチェッカ（ｃｈｅｃｋｅｒ）方式などで左眼用画像及び右眼用画像信号を圧縮することができる。
【００６８】
図示したように、サイドバイサイド方式の圧縮画像フレームは圧縮された左眼用及び右眼用画像信号が左右に配列された画像フレームであり、トップボトム方式の圧縮画像フレームは圧縮された左眼用及び右眼用画像信号が上下に配列された画像フレームであり、水平インターリーブ方式の圧縮画像フレームは圧縮された左眼用及び右眼用画像信号が水平方向に交互に配列された画像フレームであり、垂直インターリーブ方式の画像フレームは圧縮された左眼用及び右眼用画像信号が垂直方向に交互に配列された画像フレームであり、チェッカ方式の圧縮画像フレームは圧縮された左眼用及び右眼用画像信号がチェッカ形状で交互に配列された画像フレームである。
【００６９】
同期部１１０は、圧縮画像フレームＣＦを左眼用画像信号Ｌと右眼用画像信号Ｒに分離し、左眼用画像信号Ｌと右眼用画像信号Ｒとの間の同期を合わせて出力する。
【００７０】
スケーリング部１３０は、左眼用画像信号Ｌ及び右眼用画像信号Ｒのそれぞれを表示パネル３００の解像度でスケーリングして、左眼用画像フレームＬＦ及び右眼用画像フレームＲＦを生成する。スケーリング部１３０は、左眼用画像フレームＬＦ及び右眼用画像フレームＲＦを、設定された順に出力する。
【００７１】
追加画像生成部１５０は、左眼用画像フレームＬＦ及び右眼用画像フレームＲＦを繰り返して複数の左眼用画像フレームＬＦ及び複数の右眼用画像フレームＲＦを出力する。追加画像生成部１５０は、左眼用画像フレームＬＦ及び右眼用画像フレームＲＦをＭＥＭＣ方式で処理して、複数の左眼用画像フレームＬＦ及び複数の右眼用画像フレームＲＦを出力することができる。
【００７２】
以下、タイミング制御部２００、パネル駆動部４００、光源駆動部６００、及びシャッタメガネ部７００の駆動方式は、上述の図２〜図６を参照して説明した通り、実質的に同様に具現できるので、繰り返しになる説明は省略する。
【００７３】
図１及び図８を参照すると、同期部１１０は、伝送チャネルを通じて転送された左眼用画像フレームＬＦ及び右眼用画像フレームＲＦを受信する。同期部１１０は、左眼用画像フレームＬＦと右眼用画像フレームＲＦとの間の同期を合わせてスケーリング部１３０に出力する。スケーリング部１３０は、表示パネル３００の解像度で左眼用画像フレームＬＦ及び右眼用画像フレームＲＦのそれぞれをスケーリングし、設定された順に追加画像生成部１５０に出力する。追加画像生成部１５０は、左眼用画像フレームＬＦ及び右眼用画像フレームＲＦのそれぞれを繰り返して複数の左眼用画像フレームＬＦ及び複数の右眼用画像フレームＲＦを生成する。追加画像生成部１５０は、左眼用画像フレームＬＦ及び右眼用画像フレームＲＦをＭＥＭＣ方式で処理して、複数の左眼用画像フレームＬＦ及び複数の右眼用画像フレームＲＦを出力することができる。
【００７４】
タイミング制御部２００、パネル駆動部４００、光源駆動部６００、及びシャッタメガネ部７００の駆動方式は、上述の図２〜図６を参照して説明した通り、実質的に同一に具現できるので、繰り返しになる説明は省略する。
【００７５】
図９は、図１の表示装置による２コンテンツの３次元画像信号の処理方法を説明するための概念図であり、図１０は、図１の表示装置による２コンテンツの３次元画像の表示方法を説明するための波形図である。図１０では、左眼用画像フレームＬＦはホワイト階調の画像フレームを、右眼用画像フレームＲＦはブラック階調の画像フレームを例として説明する。
【００７６】
図２、図９、及び図１０を参照すると、画像処理部１００は、３次元２ビューアモードに対応する画像モード信号及び３次元画像信号を受信する（ステップＳ２１０）。
【００７７】
画像処理部１００は、それぞれ異なる伝送チャネルで第１左眼用画像フレームＬＦ１、第１右眼用画像フレームＲＦ１、第２左眼用画像フレームＬＦ２、及び第２右眼用画像フレームＲＦ２を受信し、複数の第１左眼用画像フレームＬＦ１、複数の第１右眼用画像フレームＲＦ１、複数の第２左眼用画像フレームＬＦ２、及び複数の第２右眼用画像フレームＲＦ２を出力する（ステップＳ２３０）。
【００７８】
例えば、同期部１１０は、それぞれ異なる伝送チャネルを通じて、第１左眼用画像フレームＬＦ１、第１右眼用画像フレームＲＦ１、第２左眼用画像フレームＬＦ２、及び第２右眼用画像フレームＲＦ２を受信する。同期部１１０は、第１左眼用画像フレームＬＦ１、第１右眼用画像フレームＲＦ１、第２左眼用画像フレームＬＦ２、及び第２右眼用画像フレームＲＦ２間の同期を合わせて出力する。
【００７９】
スケーリング部１３０は、第１左眼用画像フレームＬＦ１、第１右眼用画像フレームＲＦ１、第２左眼用画像フレームＬＦ２、及び第２右眼用画像フレームＲＦ２のそれぞれを表示パネル３００の解像度でスケーリングする。スケーリング部１３０は、スケーリングした第１左眼用画像フレームＬＦ１、第１右眼用画像フレームＲＦ１、第２左眼用画像フレームＬＦ２、及び第２右眼用画像フレームＲＦ２を、設定された順に出力する。
【００８０】
追加画像生成部１５０は、スケーリング部１３０で出力された順番どおりの画像フレームを利用して複数の画像フレームを出力する。例えば、第１左眼用画像フレームＬＦ１を繰り返して２つの第１左眼用画像フレームＬＦ１を出力し、第１右眼用画像フレームＲＦ１を繰り返して２つの第１右眼用画像フレームＲＦ１を出力し、第２左眼用画像フレームＬＦ２を繰り返して２つの第２左眼用画像フレームＬＦ２を出力し、第２右眼用画像フレームＲＦ２を繰り返して２つの第２右眼用画像フレームＲＦ２を出力する。
【００８１】
画像処理部１００は、２つの第１左眼用画像フレームＬＦ１、２つの第１右眼用画像フレームＲＦ１と、２つの第２左眼用画像フレームＬＦ２、及び２つの第２右眼用画像フレームＲＦ２を順にタイミング制御部２００に提供する。
【００８２】
タイミング制御部２００は、パネル駆動部４００及び光源駆動部６００を制御して表示パネル３００に２コンテンツの３次元画像を表示する（ステップＳ２５０）。
【００８３】
図１０を参照すると、タイミング制御部２００は、２つの第１左眼用画像フレームＬＦ１、２つの第１右眼用画像フレームＲＦ１、２つの第２左眼用画像フレームＬＦ２、及び２つの第２右眼用画像フレームＲＦ２を順にパネル駆動部４００に提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動できる。
【００８４】
表示パネル３００の第１表示ブロックＤＢ１を調べると、パネル駆動部４００は、第ｍフレームＦｍ及び第（ｍ＋１）フレームＦｍ＋１のそれぞれの初期に第１左眼用画像フレームＬＦ１のデータ信号を出力し、第（ｍ＋２）フレームＦｍ＋２及び第（ｍ＋３）フレームＦｍ＋３のそれぞれの初期に第１右眼用画像フレームＲＦ１のデータ信号を出力し、第（ｍ＋４）フレームＦｍ＋４及び第（ｍ＋５）フレームＦｍ＋５のそれぞれの初期に第２左眼用画像フレームＬＦ２のデータ信号を出力し、第（ｍ＋６）フレームＦｍ＋６及び第（ｍ＋７）フレームＦｍ＋７のそれぞれの初期に第２右眼用画像フレームＲＦ２のデータ信号を出力する（ＤＢ１＿ＤＡＴＡ）。
【００８５】
光源駆動部６００は、タイミング制御部２００の制御に従って液晶応答ＬＣが考慮された第１駆動信号ＬＢＳ１を生成して、第１表示ブロックＤＢ１に対向する第１発光ブロックＬＢ１に提供する。即ち、第１発光ブロックＬＢ１は、第１表示ブロックＤＢ１に左眼用又は右眼用画像が表示された第１区間Ｔ１で光を発生して提供し、第１表示ブロックＤＢ１に左眼用及び右眼用画像が混在する混在画像が表示される第２区間Ｔ２で光を遮断する。
【００８６】
このような方式で、表示パネル３００は、第２表示ブロックＤＢ２〜第８表示ブロックＤＢ８に、第１左眼用画像フレームＬＦ１、第１右眼用画像フレームＲＦ１、第２左眼用画像フレームＬＦ２、及び第２右眼用画像フレームＲＦ２にそれぞれ対応する画像を表示し、第２表示ブロックＬＢ２〜第８発光ブロックＬＢ８のそれぞれは、該当する表示ブロックに、左眼用又は右眼用画像が表示される第１区間Ｔ１で光を発生して提供し、左眼用及び右眼用画像が混在する混在画像が表示される第２区間Ｔ２で光を遮断する。このような方式で、表示パネル３００及び光源部５００を駆動して、２コンテンツの３次元画像の、第１左眼用画像、第１右眼用画像、第２左眼用画像、及び第２右眼用画像を表示する。
【００８７】
シャッタメガネ部７００は、３次元２ビューアモードに従って、タイミング制御部２００の制御によって複数の第１シャッタメガネ及び第２シャッタメガネを駆動する（ステップＳ２７０）。
【００８８】
第１シャッタメガネは第１左眼シャッタ信号ＬＳＳ１及び第１右眼シャッタ信号ＲＳＳ１により開閉される第１左眼シャッタ及び第１右眼シャッタを含み、第２シャッタメガネは第２左眼シャッタ信号ＬＳＳ２及び第２右眼シャッタ信号ＲＳＳ２により開閉される第２左眼シャッタ及び第２右眼シャッタを含む。
【００８９】
第１左眼シャッタ信号ＬＳＳ１は、表示ブロック（ＤＢ１、ＤＢ２、…、ＤＢ８）に表示される第１左眼用画像に対応して発光ブロック（ＬＢ１、ＬＢ２、…、ＬＢ８）が光を発生する第１区間Ｔ１を含む第１左眼視認区間ＬＶＰ１で第１左眼シャッタを開き、表示ブロック（ＤＢ１、ＤＢ２、…、ＤＢ８）に表示される第１右眼用画像に対応して発光ブロック（ＬＢ１、ＬＢ２、…、ＬＢ８）が光を発生する第１区間Ｔ１を含む第１右眼視認区間ＲＶＰ１で第１左眼シャッタを閉じるように制御する。
【００９０】
第１右眼シャッタ信号ＲＳＳ１は、表示ブロック（ＤＢ１、ＤＢ２、…、ＤＢ８）に表示される第１右眼用画像に対応して発光ブロック（ＬＢ１、ＬＢ２、…、ＬＢ８）が光を発生する第１区間Ｔ１を含む第１右眼視認区間ＲＶＰ２で第１右眼シャッタを開き、表示ブロック（ＤＢ１、ＤＢ２、…、ＤＢ８）に表示される第１左眼用画像に対応して発光ブロック（ＬＢ１、ＬＢ２、…、ＬＢ８）が光を発生する第１区間Ｔ１を含む第１左眼視認区間ＬＶＰ１で第１右眼シャッタを閉じるように制御する。
【００９１】
第２左眼シャッタ信号ＬＳＳ２は、表示ブロック（ＤＢ１、ＤＢ２、…、ＤＢ８）に表示される第２左眼用画像に対応して発光ブロック（ＬＢ１、ＬＢ２、…、ＬＢ８）が光を発生する第１区間Ｔ１を含む第２左眼視認区間ＬＶＰ２で第２左眼シャッタを開き、表示ブロック（ＤＢ１、ＤＢ２、…、ＤＢ８）に表示される第２右眼用画像に対応して発光ブロック（ＬＢ１、ＬＢ２、…、ＬＢ８）が光を発生する第１区間Ｔ１を含む第２右眼視認区間（ＲＶＰ２）で第２左眼シャッタを閉じるように制御する。
【００９２】
第２右眼シャッタ信号ＲＳＳ２は、表示ブロック（ＤＢ１、ＤＢ２、…、ＤＢ８）に表示される第２右眼用画像に対応して発光ブロック（ＬＢ１、ＬＢ２、…、ＬＢ８）が光を発生する第１区間Ｔ１を含む第２右眼視認区間ＲＶＰ２で第２右眼シャッタを開き、表示ブロック（ＤＢ１、ＤＢ２、…、ＤＢ８）に表示される第２左眼用画像に対応して発光ブロック（ＬＢ１、ＬＢ２、…、ＬＢ８）が光を発生する第１区間Ｔ１を含む第２左眼視認区間ＬＶＰ２で第２右眼シャッタを閉じるように制御する。
【００９３】
このような方式によって、２人の観察者は互いに異なるコンテンツの３次元画像を視認することができる。
図１１は、図１の表示装置の他の実施形態による２コンテンツの３次元画像の表示方法を説明するための波形図である。図１１では、左眼用画像フレームＬＦはホワイト階調の画像フレームを、右眼用画像フレームＲＦはブラック階調の画像フレームを例として説明する。
【００９４】
図２、図９、及び図１１を参照すると、画像処理部１００は、３次元２ビューアモードに対応する画像モード信号及び３次元画像信号を受信する（ステップＳ２１０）。
【００９５】
画像処理部１００は、それぞれ異なる伝送チャネルを通じて受信した第１左眼用画像フレームＬＦ１、第１右眼用画像フレームＲＦ１、第２左眼用画像フレームＬＦ２、及び第２右眼用画像フレームＲＦ２を画像処理して２つの第１左眼用画像フレームＬＦ１、２つの第１右眼用画像フレームＲＦ１、２つの第２左眼用画像フレームＬＦ２、及び２つの第２右眼用画像フレームＲＦ２を出力する（ステップＳ２３０）。
【００９６】
タイミング制御部２００は、２つの第１左眼用画像フレームＬＦ１、２つの第１右眼用画像フレームＲＦ１、２つの第２左眼用画像フレームＬＦ２、及び２つの第２右眼用画像フレームＲＦ２に基づいて、パネル駆動部４００及び光源駆動部６００を制御して表示パネル３００に２コンテンツの３次元画像を表示する（ステップＳ２５０）。
【００９７】
図１１を参照すると、タイミング制御部２００は、左眼用画像と右眼用画像との間のクロストークを減らすために左眼用画像フレームと右眼用画像フレームとの間にブラック画像フレームを挿入する。
【００９８】
タイミング制御部２００は、第１左眼用画像フレームＬＦ１、ブラック画像フレームＢＦ、第１右眼用画像フレームＲＦ１、ブラック画像フレームＢＦ、第２左眼用画像フレームＬＦ２、ブラック画像フレームＢＦ、第２右眼用画像フレームＲＦ２、及びブラック画像フレームＢＦを順にパネル駆動部４００に提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動できる。
【００９９】
表示パネル３００の第１表示ブロックＤＢ１を調べると、パネル駆動部４００は、第ｍフレームＦｍの初期に第１左眼用画像フレームＬＦ１のデータ信号を出力し、第（ｍ＋１）フレームＦｍ＋１の初期にブラック画像フレームＢＦのデータ信号を出力し、第（ｍ＋２）フレームＦｍ＋２の初期に第１右眼用画像フレームＲＦ１のデータ信号を出力し、第（ｍ＋３）フレームＦｍ＋３の初期にブラック画像フレームＢＦのデータ信号を出力し、第（ｍ＋４）フレームＦｍ＋４の初期に第２左眼用画像フレームＬＦ２のデータ信号を出力し、第（ｍ＋５）フレームＦｍ＋５の初期にブラック画像フレームＢＦのデータ信号を出力し、第（ｍ＋６）フレームＦｍ＋６の初期に第２右眼用画像フレームＲＦ２のデータ信号を出力し、第（ｍ＋７）フレームＦｍ＋７の初期にブラック画像フレームＢＦのデータ信号を出力する（ＤＢ１＿ＤＡＴＡ）。
【０１００】
光源駆動部６００は、タイミング制御部２００の制御によって液晶応答ＬＣが考慮された第１駆動信号ＬＢＳ１を生成して、第１表示ブロックＤＢ１に対向する第１発光ブロックＬＢ１に提供する。即ち、第１発光ブロックＬＢ１は、第１表示ブロックＤＢ１に第１左眼用画像、第１右眼用画像、第２左眼用画像、又は第２右眼用画像がそれぞれ完成する第１区間Ｔ１で光を発生して提供し、第１表示ブロックＤＢ１に左眼用及び右眼用画像が混在する混在画像が表示される第２区間Ｔ２で光を遮断する。
【０１０１】
このような方式で、表示パネル３００及び光源部５００を駆動して、２コンテンツの３次元画像の、第１左眼用画像、第１右眼用画像、第２左眼用画像、及び第２右眼用画像を表示する。
【０１０２】
シャッタメガネ部７００は、３次元２ビューアモードに従って、タイミング制御部２００の制御によって第１シャッタメガネ及び第２シャッタメガネを駆動する（ステップＳ２７０）。
【０１０３】
第１シャッタメガネは第１左眼シャッタ信号ＬＳＳ１及び第１右眼シャッタ信号ＲＳＳ１により開閉される第１左眼シャッタ及び第１右眼シャッタを含み、第２シャッタメガネは第２左眼シャッタ信号ＬＳＳ２及び第２右眼シャッタ信号ＲＳＳ２により開閉される第２左眼シャッタ及び第２右眼シャッタを含む。
【０１０４】
本実施形態による第１左眼シャッタ信号ＬＳＳ１、第１右眼シャッタ信号ＲＳＳ１、第２左眼シャッタ信号ＬＳＳ２、及び第２右眼シャッタ信号ＬＳＳ２による第１シャッタメガネ及び第２シャッタメガネの駆動方式は、図１０に説明したものと実質的に同一である。但し、本実施形態による第１左眼シャッタ信号ＬＳＳ１、第１右眼シャッタ信号ＲＳＳ１、第２左眼シャッタ信号ＬＳＳ２、及び第２右眼シャッタ信号ＬＳＳ２のそれぞれは、ブラック画像フレームＢＦにより、図１０に示した第１左眼シャッタ信号ＬＳＳ１、第１右眼シャッタ信号ＲＳＳ１、第２左眼シャッタ信号ＬＳＳ２、及び第２右眼シャッタ信号ＬＳＳ２と遅延差を有する。
【０１０５】
このような方式によって、２人の観察者は互いに異なるコンテンツの３次元画像を視認することができる。
【０１０６】
図１２、図１３、及び図１４は、図１の表示装置に多様な方式で受信される２コンテンツの３次元画像信号の処理方法を説明するための概念図である。
【０１０７】
図１及び図１２を参照すると、同期部１１０は、同一の伝送チャネルを通じて第１圧縮画像フレームＣＦ１及び第２圧縮画像フレームＣＦ２を受信する。第１圧縮画像フレームＣＦ１は第１左眼用画像信号Ｌ１及び第１右眼用画像信号Ｒ１のそれぞれが１／２に圧縮された画像フレームであり、第２圧縮画像フレームＣＦ２は第２左眼用画像信号Ｌ２及び第２右眼用画像信号Ｒ２がそれぞれ１／２に圧縮された画像フレームである。第１圧縮画像フレームＣＦ１及び第２圧縮画像フレームＣＦ２は、サイドバイサイド方式、トップボトム方式、水平インターリーブ方式、垂直インターリーブ方式、及びチェッカ方式などで圧縮することができる。
【０１０８】
同期部１１０は、第１圧縮画像フレームＣＦ１及び第２圧縮画像フレームＣＦ２を、第１左眼用画像信号Ｌ１、第１右眼用画像信号Ｒ１、第２左眼用画像信号Ｒ１、及び第２右眼用画像信号Ｒ２に分離して、画像信号Ｌ１、Ｌ２、Ｒ１、Ｒ２間の同期を合わせて出力する。
【０１０９】
スケーリング部１３０は、第１左眼用画像信号Ｌ１、第１右眼用画像信号Ｒ１、第２左眼用画像信号Ｒ１、及び第２右眼用画像信号Ｒ２のそれぞれを表示パネル３００の解像度でスケーリングして、第１左眼用画像フレームＬＦ１、第１右眼用画像フレームＲＦ１、第２左眼用画像フレームＬＦ２、及び第２右眼用画像フレームＲＦ２を出力する。スケーリング部１３０は、設定された順に第１左眼用画像フレームＬＦ１、第１右眼用画像フレームＲＦ１、第２左眼用画像フレームＬＦ２、及び第２右眼用画像フレームＲＦ２を出力する。
【０１１０】
追加画像生成部１５０は、第１左眼用画像フレームＬＦ１、第１右眼用画像フレームＲＦ１、第２左眼用画像フレームＬＦ２、及び第２右眼用画像フレームＲＦ２のそれぞれを繰り返して複数の第１左眼用画像フレームＬＦ１、ＬＦ１、複数の第１右眼用画像フレームＲＦ１、ＲＦ１、複数の第２左眼用画像フレームＬＦ２、ＬＦ２、及び複数の第２右眼用画像フレームＲＦ２、ＲＦ２を出力する。追加画像生成部１５０は、画像フレームＬＦ１、ＲＦ１、ＬＦ２、ＲＦ２のそれぞれからＭＥＭＣ方式を利用して複数の画像フレームを出力できる。
【０１１１】
以下、タイミング制御部２００、パネル駆動部４００、光源駆動部６００、及びシャッタメガネ部７００の駆動方式は、上述した図２及び図９〜図１１を参照して説明したように実質的に同一に具現できるので、繰り返しになる説明は省略する。
【０１１２】
図１及び図１３を参照すると、同期部１１０は、同じ伝送チャネルを通じて転送された第１左眼用画像フレームＬＦ１、第１右眼用画像フレームＲＦ１、第２左眼用画像フレームＬＦ２、及び第２右眼用画像フレームＲＦ２を受信する。同期部１１０は、第１左眼用画像フレームＬＦ１、第１右眼用画像フレームＲＦ１、第２左眼用画像フレームＬＦ２、及び第２右眼用画像フレームＲＦ２の間の同期を合わせてスケーリング部１３０に出力する。スケーリング部１３０は、第１左眼用画像フレームＬＦ１、第１右眼用画像フレームＲＦ１、第２左眼用画像フレームＬＦ２、及び第２右眼用画像フレームＲＦ２のそれぞれをスケーリングし、設定された順に追加画像生成部１５０に出力する。追加画像生成部１５０は、第１左眼用画像フレームＬＦ１、第１右眼用画像フレームＲＦ１、第２左眼用画像フレームＬＦ２、及び第２右眼用画像フレームＲＦ２のそれぞれを繰り返して複数の第１左眼用画像フレームＬＦ１、ＬＦ１、複数の第１右眼用画像フレームＲＦ１、ＲＦ１、複数の第２左眼用画像フレームＬＦ２、ＬＦ２、及び複数の第２右眼用画像フレームＲＦ２、ＲＦ２を出力する。追加画像生成部１５０は、画像フレームＬＦ１、ＲＦ１、ＬＦ２、ＲＦ２のそれぞれからＭＥＭＣ方式を利用して複数の画像フレームを出力することができる。
【０１１３】
タイミング制御部２００、パネル駆動部４００、光源駆動部６００、及びシャッタメガネ部７００の駆動方式は、上述した図２及び図９〜図１１を参照して説明したように実質的に同一に具現できるので、繰り返しになる説明は省略する。
【０１１４】
図１及び図１４を参照すると、同期部１１０は、伝送チャネルを通じて転送された第１左眼用画像信号Ｌ１、第１右眼用画像信号Ｒ１、第２左眼用画像信号Ｌ２、及び第２右眼用画像信号Ｒ２がそれぞれ１／４に圧縮された圧縮画像フレームＣＦを受信する。圧縮画像フレームＣＦは、サイドバイサイド方式、トップボトム方式、水平インターリーブ方式、垂直インターリーブ方式、チェッカ方式、及びタイル（ｔｉｌｅ）方式などによって圧縮できる。
【０１１５】
同期部１１０は、圧縮画像フレームＣＦを、第１左眼用画像信号Ｌ１、第１右眼用画像信号Ｒ１、第２左眼用画像信号Ｒ１、及び第２右眼用画像信号Ｒ２に分離して、画像信号Ｌ１、Ｌ２、Ｒ１、Ｒ２間の同期を合わせて出力する。
【０１１６】
スケーリング部１３０及び追加画像生成部１５０を利用して、複数の第１左眼用画像フレームＬＦ１、ＬＦ１、複数の第１右眼用画像フレームＲＦ１、ＲＦ１、複数の第２左眼用画像フレームＬＦ２、ＬＦ２、及び複数の第２右眼用画像フレームＲＦ２、ＲＦ２が順次に出力される。
【０１１７】
タイミング制御部２００、パネル駆動部４００、光源駆動部６００、及びシャッタメガネ部７００の駆動方式は、上述した図２及び図９〜図１１を参照して説明したように実質的に同一に具現できるので、繰り返しになる説明は省略する。
【０１１８】
図１５は、図１の表示装置による２コンテンツの２次元画像信号の処理方法を説明するための概念図であり、図１６は、図１の表示装置による２コンテンツの２次元画像の表示方法を説明するための波形図である。図１６では、第１画像フレームＩＦ１はホワイト階調の画像フレームを、第２画像フレームＩＦ２はブラック階調の画像フレームを例として説明する。
【０１１９】
図２、図１５、及び図１６を参照すると、画像処理部１００は、２次元２ビューアモードに対応する画像モード信号及び２次元画像信号を受信する（ステップＳ３１０）。
【０１２０】
画像処理部１００は、互いに異なる伝送チャネルを通じて受信した第１画像フレームＩＦ１と第２画像フレームＩＦ２を複数の第１画像フレームＩＦ１及び複数の第２画像フレームＩＦ２で出力する（ステップＳ３３０）。
【０１２１】
例えば、同期部１１０は、互いに異なる伝送チャネルを通じて、第１画像フレームＩＦ１と第２画像フレームＩＦ２を受信する。画像フレームは、表示パネル３００の解像度に対応する画像データである。同期部１１０は、第１画像フレームＩＦ１と第２画像フレームＩＦ２との間の同期を合わせて出力する。
【０１２２】
スケーリング部１３０は、第１画像フレームＩＦ１と第２画像フレームＩＦ２のそれぞれを表示パネル３００の解像度でスケーリングする。スケーリング部１３０は、スケーリングした第１画像フレームＩＦ１と第２画像フレームＩＦ２を、設定された順に出力する。
【０１２３】
追加画像生成部１５０は、第１画像フレームＩＦ１と第２画像フレームＩＦ２のそれぞれを繰り返して４つの第１画像フレームＩＦ１及び４つの第２画像フレームＩＦ２を生成する。追加画像生成部１５０は、画像フレームＩＦ１、ＩＦ２のそれぞれからＭＥＭＣ方式を利用して複数の画像フレームを出力することができる。
【０１２４】
タイミング制御部２００は、４つの第１画像フレーム及び４つの第２画像フレームに基づいて、パネル駆動部４００及び光源駆動部６００を制御して表示パネル３００に２コンテンツの２次元画像を表示する（ステップＳ３５０）。
【０１２５】
図１６を参照すると、タイミング制御部２００は、４つの第１画像フレームＩＦ１及び４つの第２画像フレームＩＦ２を順番どおりにパネル駆動部４００に提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動できる。
【０１２６】
表示パネル３００の第１表示ブロックＤＢ１を調べると、パネル駆動部４００は、第ｍフレームＦｍ、第（ｍ＋１）フレームＦｍ＋１、第（ｍ＋２）フレームＦｍ＋２、及び第（ｍ＋３）フレームＦｍ＋３のそれぞれの初期に第１画像フレームＩＦ１のデータ信号を出力し、第（ｍ＋４）フレームＦｍ＋４、第（ｍ＋５）フレームＦｍ＋５、第（ｍ＋６）フレームＦｍ＋６、及び第（ｍ＋７）フレームＦｍ＋７のそれぞれの初期に第２画像フレームＩＦ２のデータ信号を出力する（ＤＢ１＿ＤＡＴＡ）。
【０１２７】
光源駆動部６００は、タイミング制御部２００の制御によって液晶応答ＬＣが考慮された第１駆動信号ＬＢＳ１を生成して、第１表示ブロックＤＢ１に対向する第１発光ブロックＬＢ１に提供する。即ち、第１発光ブロックＬＢ１は、第１表示ブロックＤＢ１に第１画像又は第２画像が完成する第１区間Ｔ１で光を発生して提供し、第１表示ブロックＤＢ１に第１画像及び第２画像が混在する混在画像が表示される第２区間Ｔ２で光を遮断する。
【０１２８】
表示パネル３００の第５表示ブロックＤＢ５を調べると、パネル駆動部４００は、第ｍフレームＦｍ、第（ｍ＋１）フレームＦｍ＋１、第（ｍ＋２）フレームＦｍ＋２、及び第（ｍ＋３）フレームＦｍ＋３のそれぞれの中期に第１画像フレームＩＦ１のデータ信号を出力し、第（ｍ＋４）フレームＦｍ＋４、第（ｍ＋５）フレームＦｍ＋５、第（ｍ＋６）フレームＦｍ＋６、及び第（ｍ＋７）フレームＦｍ＋７のそれぞれの中期に第２画像フレームＩＦ２のデータ信号を出力する（ＤＢ５＿ＤＡＴＡ）。
【０１２９】
光源駆動部６００は、タイミング制御部２００の制御によって液晶応答ＬＣが考慮された第５駆動信号ＬＢＳ５を生成して、第５表示ブロックＤＢ５に対向する第５発光ブロックＬＢ５に提供する。即ち、第５発光ブロックＬＢ５は、第５表示ブロックＤＢ５に第１画像又は第２画像が完成する第１区間Ｔ１で光を発生して提供し、第５表示ブロックＤＢ５に第１画像及び第２画像が混在する混在画像が表示される第２区間Ｔ２で光を遮断する。
【０１３０】
表示パネル３００の第８表示ブロックＤＢ８を調べると、パネル駆動部４００は、第ｍフレームＦｍ、第（ｍ＋１）フレームＦｍ＋１、第（ｍ＋２）フレームＦｍ＋２、及び第（ｍ＋３）フレームＦｍ＋３のそれぞれの後期に第１画像フレームＩＦ１のデータ信号を出力し、第（ｍ＋４）フレームＦｍ＋４、第（ｍ＋５）フレームＦｍ＋５、第（ｍ＋６）フレームＦｍ＋６、及び第（ｍ＋７）フレームＦｍ＋７のそれぞれの後期に第２画像フレームＩＦ２のデータ信号を出力する（ＤＢ８＿ＤＡＴＡ）。
【０１３１】
光源駆動部６００は、タイミング制御部２００の制御によって液晶応答ＬＣが考慮された第８駆動信号ＬＢＳ８を生成して、第８表示ブロックＤＢ８に対向する第８発光ブロックＬＢ８に提供する。即ち、第８発光ブロックＬＢ８は、第８表示ブロックＤＢ８に第１画像又は第２画像が完成する第１区間Ｔ１で光を発生して提供し、第８表示ブロックＤＢ８に第１画像及び第２画像が混在する混在画像が表示される第２区間Ｔ２で光を遮断する。このような方式で、表示パネル３００及び光源部５００を駆動して２コンテンツ２次元画像を表示する。
【０１３２】
シャッタメガネ部７００は、２次元２ビューアモードに従って、タイミング制御部２００の制御によって第１シャッタメガネ及び第２シャッタメガネを駆動する（ステップＳ３７０）。
【０１３３】
２次元画像モードに従って、シャッタメガネ部７００を制御する制御信号は、第１シャッタメガネの左眼及び右眼シャッタを同時に開閉するための第１シャッタ制御信号ＳＣＳ１と、第２シャッタメガネの左眼及び右眼シャッタを同時に開閉するための第２シャッタ制御信号ＳＣＳ２とを含む。
【０１３４】
第１シャッタ制御信号ＳＣＳ１は、表示ブロック（ＤＢ１、ＤＢ２、…、ＤＢ８）に表示される第１画像に対応して発光ブロック（ＬＢ１、ＬＢ２、…、ＬＢ８）が光を発生する第１区間Ｔ１を含む第１視認区間ＶＰ１で第１シャッタメガネの左眼及び右眼シャッタを開き、表示ブロック（ＤＢ１、ＤＢ２、…、ＤＢ８）に表示される第２画像に対応して発光ブロック（ＬＢ１、ＬＢ２、…、ＬＢ８）が光を発生する第１区間Ｔ１を含む第２視認区間ＶＰ２で第１シャッタメガネの左眼及び右眼シャッタを閉じるように制御する。
【０１３５】
第２シャッタ制御信号ＳＣＳ２は、表示ブロック（ＤＢ１、ＤＢ２、…、ＤＢ８）に表示される第２画像に対応して発光ブロック（ＬＢ１、ＬＢ２、…、ＬＢ８）が光を発生する第１区間Ｔ１を含む第２視認区間ＶＰ２で第２シャッタメガネの左眼及び右眼シャッタを開き、表示ブロック（ＤＢ１、ＤＢ２、…、ＤＢ８）に表示される第１画像に対応して発光ブロック（ＬＢ１、ＬＢ２、…、ＬＢ８）が光を発生する第１区間Ｔ１を含む第１視認区間ＶＰ１で第２シャッタメガネの左眼及び右眼シャッタを閉じるように制御する。
【０１３６】
このような方式によって、２人の観察者は互いに異なる２次元画像を視認することができる。
【０１３７】
図１７は、図１の表示装置の他の実施形態による２コンテンツの２次元画像の表示方法を説明するための波形図である。図１７では、第１画像フレームＩＦ１はホワイト階調の画像フレームを、第２画像フレームＩＦ２はブラック階調の画像フレームを例として説明する。
【０１３８】
図２、図１５、及び図１７を参照すると、画像処理部１００は、２次元２ビューアモードに対応する画像モード信号及び２次元画像信号を受信する（ステップＳ３１０）。
【０１３９】
画像処理部１００は、互いに異なる伝送チャネルを通じて受信した第１画像フレームＩＦ１と第２画像フレームＩＦ２を、複数の第１画像フレームＩＦ１及び複数の第２画像フレームＩＦ２で出力する（ステップＳ３３０）。
【０１４０】
タイミング制御部２００は、４つの第１画像フレームＩＦ１及び４つの第２画像フレームＩＦ２に基づいてパネル駆動部４００及び光源駆動部６００を制御して表示パネル３００に２コンテンツの２次元画像を表示する（ステップＳ３５０）。
【０１４１】
具体的に、図１７を参照すると、タイミング制御部２００は、第１画像と第２画像のクロストークを減らすために第１画像フレームと第２画像フレームとの間にブラック画像フレームを挿入する。
【０１４２】
タイミング制御部２００は、３個の第１画像フレームＩＦ１、１つのブラック画像フレームＢＦ、３個の第２画像フレームＩＦ２、及び１つのブラック画像フレームＢＦを順番どおりにパネル駆動部４００に提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動できる。
【０１４３】
表示パネル３００の第１表示ブロックＤＢ１を調べると、パネル駆動部４００は、第ｍフレームＦｍ、第（ｍ＋１）フレームＦｍ＋１、及び第（ｍ＋２）フレームＦｍ＋２のそれぞれの初期に第１画像フレームＩＦ１のデータ信号を出力し、第（ｍ＋３）フレームＦｍ＋３の初期にブラック画像フレームＢＦのデータ信号を出力し、第（ｍ＋４）フレームＦｍ＋４、第（ｍ＋５）フレームＦｍ＋５、及び第（ｍ＋６）フレームＦｍ＋６のそれぞれの初期に第２画像フレームＩＦ２のデータ信号を出力し、第（ｍ＋７）フレームＦｍ＋７の初期にブラック画像フレームＢＦのデータ信号を出力する（ＤＢ１＿ＤＡＴＡ）。
【０１４４】
光源駆動部６００は、タイミング制御部２００の制御によって液晶応答ＬＣが考慮された光源駆動信号ＬＤＳを生成して光源部５００に提供する。光源駆動信号ＬＤＳは、光源部５００の全体発光ブロック（ＬＢ１、…、ＬＢｎ）に提供され、発光ブロック（ＬＢ１、…、ＬＢｎ）は、光源駆動信号ＬＤＳに同期して全体的にターン−オンされるか、又はターン−オフされる。
【０１４５】
即ち、表示パネル３００に第１画像及び第２画像がそれぞれ完成する第１区間Ｔ１で表示パネル３００の全体に光を提供し、表示パネル３００に第１画像又は第２画像とブラック画像が混在して表示される第２区間Ｔ２で表示パネル３００の光を遮断する。このような方式で表示パネル３００及び光源部５００を駆動して２コンテンツの２次元画像を表示する。図示していないが、光源駆動部６００は、上述した実施形態と同様にスキャニング方式で発光ブロック（ＬＢ１、ＬＢ２、…、ＬＢ８）を順次に駆動することができる。
【０１４６】
シャッタメガネ部７００は、２次元２ビューアモードに従って、タイミング制御部２００の制御によって２つの第１シャッタメガネ及び第２シャッタメガネを駆動する（ステップＳ３７０）。
【０１４７】
シャッタメガネ部７００を制御する制御信号は、第１シャッタメガネの左眼及び右眼シャッタを同時に開閉するための第１シャッタ制御信号ＳＣＳ１と、第２シャッタメガネの左眼及び右眼シャッタを同時に開閉するための第２シャッタ制御信号ＳＣＳ２とを含む。
【０１４８】
第１シャッタ制御信号ＳＣＳ１は、表示ブロック（ＤＢ１、ＤＢ２、…、ＤＢ８）に表示される第１画像に対応して光源部５００が光を発生する第１区間Ｔ１を含む第１視認区間ＶＰ１で第１シャッタメガネの左眼及び右眼シャッタを開き、表示ブロック（ＤＢ１、ＤＢ２、…、ＤＢ８）に表示される第２画像に対応して光源部５００が光を発生する第１区間Ｔ１を含む第２視認区間ＶＰ２で第１シャッタメガネの左眼及び右眼シャッタを閉じるように制御する。
【０１４９】
第２シャッタ制御信号ＳＣＳ２は、表示ブロック（ＤＢ１、ＤＢ２、…、ＤＢ８）に表示される第２画像に対応して光源部５００が光を発生する第１区間Ｔ１を含む第２視認区間ＶＰ２で第２シャッタメガネの左眼及び右眼シャッタを開き、表示ブロック（ＤＢ１、ＤＢ２、…、ＤＢ８）に表示される第１画像に対応して光源部５００が光を発生する第１区間Ｔ１を含む第１視認区間ＶＰ１で第２シャッタメガネの左眼及び右眼シャッタを閉じるように制御する。
【０１５０】
このような方式によって、２人の観察者は互いに異なる２次元画像を視認することができる。
【０１５１】
図１８及び図１９は、図１の表示装置に多様な方式で受信される２コンテンツの２次元画像信号の処理方法を説明するための概念図である。
【０１５２】
図１及び図１８を参照すると、同期部１１０は、同じ伝送チャネルを通じて２コンテンツの第１画像信号Ｉ１及び第２画像信号Ｉ２がそれぞれ１／２に圧縮された圧縮画像フレームＣＦを受信する。圧縮画像フレームＣＦは、サイドバイサイド方式、トップボトム（ｔｏｐ−ｂｏｔｔｏｍ）方式、水平インターリーブ方式、垂直インターリーブ方式、及びチェッカ（ｃｈｅｃｋｅｒ）方式などで圧縮することができる。
【０１５３】
同期部１１０は、圧縮画像フレームを第１画像信号Ｉ１及び第２画像信号Ｉ２に分離し、第１画像信号Ｉ１と第２画像信号Ｉ２との間の同期を合わせて出力する。
【０１５４】
スケーリング部１３０は、第１画像信号Ｉ１及び第２画像信号Ｉ２のそれぞれを表示パネル３００の解像度でスケーリングして、第１画像フレームＩＦ１及び第２画像フレームＩＦ２を生成する。スケーリング部１３０は、第１画像フレームＩＦ１及び第２画像フレームＩＦ２を、設定された順に出力する。
【０１５５】
追加画像生成部１５０は、第１画像フレームＩＦ１及び第２画像フレームＩＦ２を繰り返して複数の第１画像フレームＩＦ１及び複数の第２画像フレームＩＦ２を生成する。追加画像生成部１５０は、画像フレームＩＦ１、ＩＦ２のそれぞれからＭＥＭＣ方式を利用して複数の画像フレームを出力することができる。
【０１５６】
以下、タイミング制御部２００、パネル駆動部４００、光源駆動部６００、及びシャッタメガネ部７００の駆動方式は、上述した図１５〜図１７を参照して説明したように実質的に同一に具現できるので、繰り返しになる説明は省略する。
【０１５７】
図１及び図１９を参照すると、同期部１１０は、同じ伝送チャネルを通じて２コンテンツの第１画像信号Ｉ１及び第２画像信号Ｉ２を受信する。同期部１１０は、第１画像信号Ｉ１と第２画像信号Ｉ２との間の同期を合わせて出力する。第１及び第２画像信号のそれぞれは表示パネルの解像度に対応するデータサイズを有する。スケーリング部１３０は、第１画像信号Ｉ１及び第２画像信号Ｉ２のそれぞれをスケーリングして第１画像フレームＩＦ１及び第２画像フレームＩＦ２を生成し、設定された順に第１画像フレームＩＦ１及び第２画像フレームＩＦ２を出力する。追加画像生成部１５０は、第１画像フレームＩＦ１及び第２画像フレームＩＦ２を繰り返して複数の第１画像フレームＩＦ１及び複数の第２画像フレームＩＦ２を出力する。追加画像生成部１５０は、画像フレームＩＦ１、ＩＦ２のそれぞれからＭＥＭＣ方式を利用して複数の画像フレームを出力することができる。
【０１５８】
タイミング制御部２００、パネル駆動部４００、光源駆動部６００、及びシャッタメガネ部７００の駆動方式は、上述した図１５〜図１７を参照して説明したように実質的に同一に具現できるので、繰り返しになる説明は省略する。
【０１５９】
図２０は、図１の表示装置による４コンテンツの２次元画像信号の処理方法を説明するための概念図であり、図２１は、図１の表示装置による４コンテンツの２次元画像の表示方法を説明するための波形図である。図２１では、第１画像フレームＩＦ１はホワイト階調の画像フレームを、第２画像フレームＩＦ２はブラック階調の画像フレームを例として説明する。
【０１６０】
図２、図２０、及び図２１を参照すると、画像処理部１００は、２次元４ビューアモードに対応する画像モード信号及び２次元画像信号を受信する（ステップＳ４１０）。
【０１６１】
画像処理部１００は、それぞれ異なる伝送チャネルを通じて受信した第１画像フレームＩＦ１、第２画像フレームＩＦ２、第３画像フレームＩＦ３、及び第４画像フレームＩＦ４を、複数の第１画像フレームＩＦ１、複数の第２画像フレームＩＦ２、複数の第３画像フレームＩＦ３、及び複数の第４画像フレームＩＦ４で出力する（ステップＳ４３０）。
【０１６２】
例えば、同期部１１０は、それぞれ異なる伝送チャネルを通じて、第１画像フレームＩＦ１、第２画像フレームＩＦ２、第３画像フレームＩＦ３、及び第４画像フレームＩＦ４を受信する。第１〜第４画像フレームのそれぞれは表示パネル３００の解像度に対応するデータサイズを有する。同期部１１０は、第１画像フレームＩＦ１、第２画像フレームＩＦ２、第３画像フレームＩＦ３、及び第４画像フレームＩＦ４の間の同期を合わせて出力する。
【０１６３】
スケーリング部１３０は、第１画像フレームＩＦ１、第２画像フレームＩＦ２、第３画像フレームＩＦ３、及び第４画像フレームＩＦ４のそれぞれをスケーリングして、第１画像フレームＩＦ１、第２画像フレームＩＦ２、第３画像フレームＩＦ３、及び第４画像フレームＩＦ４を、設定された順に出力する。
【０１６４】
追加画像生成部１５０は、第１画像フレームＩＦ１、第２画像フレームＩＦ２、第３画像フレームＩＦ３、及び第４画像フレームＩＦ４のそれぞれを繰り返して２つの第１画像フレームＩＦ１、２つの第２画像フレームＩＦ２、２つの第３画像フレームＩＦ３、及び２つの第４画像フレームＩＦ４を出力する。追加画像生成部１５０は、画像フレームのそれぞれからＭＥＭＣ方式を利用して複数の画像フレームを出力することができる。
【０１６５】
タイミング制御部２００は、２つの第１画像フレームＩＦ１、２つの第２画像フレームＩＦ２、２つの第３画像フレームＩＦ３、及び２つの第４画像フレームＩＦ４に基づいて、パネル駆動部４００及び光源駆動部６００を制御して表示パネル３００に４コンテンツの２次元画像を表示する（ステップＳ４５０）。
【０１６６】
図２１を参照すると、タイミング制御部２００は、２つの第１画像フレームＩＦ１、２つの第２画像フレームＩＦ２、２つの第３画像フレームＩＦ３、及び２つの第４画像フレームＩＦ４を順番どおりにパネル駆動部４００に提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動できる。
【０１６７】
表示パネル３００の第１表示ブロックＤＢ１を調べると、パネル駆動部４００は、第ｍフレームＦｍ及び第（ｍ＋１）フレームＦｍ＋１のそれぞれの初期に第１画像フレームＩＦ１のデータ信号を出力し、第（ｍ＋２）フレームＦｍ＋２及び第（ｍ＋３）フレームＦｍ＋３のそれぞれの初期に第２画像フレームＩＦ２のデータ信号を出力し、第（ｍ＋４）フレームＦｍ＋４及び第（ｍ＋５）フレームＦｍ＋５のそれぞれの初期に第３画像フレームＩＦ３のデータ信号を出力し、第（ｍ＋６）フレームＦｍ＋６及び第（ｍ＋７）フレームＦｍ＋７のそれぞれの初期に第４画像フレームＩＦ４のデータ信号を出力する（ＤＢ１＿ＤＡＴＡ）。
【０１６８】
光源駆動部６００は、タイミング制御部２００の制御によって液晶応答ＬＣが考慮された第１駆動信号ＬＢＳ１を生成して、第１表示ブロックＤＢ１に対向する第１発光ブロックＬＢ１に提供する。即ち、第１発光ブロックＬＢ１は、第１表示ブロックＤＢ１に第１、第２、第３、又は第４画像が完成する第１区間Ｔ１で光を発生して提供し、第１表示ブロックＤＢ１に第１、第２、第３、及び第４画像のうちの少なくとも二つの画像が混在して表示される第２区間Ｔ２で光を遮断する。
【０１６９】
表示パネル３００の第５表示ブロックＤＢ５を調べると、パネル駆動部４００は、第ｍフレームＦｍ及び第（ｍ＋１）フレームＦｍ＋１のそれぞれの中期に第１画像フレームＩＦ１のデータ信号を出力し、第（ｍ＋２）フレームＦｍ＋２及び第（ｍ＋３）フレームＦｍ＋３のそれぞれの中期に第２画像フレームＩＦ２のデータ信号を出力し、第（ｍ＋４）フレームＦｍ＋４及び第（ｍ＋５）フレームＦｍ＋５のそれぞれの中期に第３画像フレームＩＦ３のデータ信号を出力し、第（ｍ＋６）フレームＦｍ＋６及び第（ｍ＋７）フレームＦｍ＋７のそれぞれの中期に第４画像フレームＩＦ４のデータ信号を出力する（ＤＢ５＿ＤＡＴＡ）。
【０１７０】
光源駆動部６００は、タイミング制御部２００の制御によって液晶応答ＬＣが考慮された第５駆動信号ＬＢＳ５を生成して、第５表示ブロックＤＢ５に対向する第５発光ブロックＬＢ５に提供する。即ち、第５発光ブロックＬＢ５は、第５表示ブロックＤＢ５に第１、第２、第３、又は第４画像が完成する第１区間Ｔ１で光を発生して提供し、第５表示ブロックＤＢ５に第１、第２、第３、及び第４画像のうちの少なくとも二つの画像が混在して表示される第２区間Ｔ２で光を遮断する。
【０１７１】
表示パネル３００の第８表示ブロックＤＢ８を調べると、パネル駆動部４００は、第ｍフレームＦｍ及び第（ｍ＋１）フレームＦｍ＋１のそれぞれの後期に第１画像フレームＩＦ１のデータ信号を出力し、第（ｍ＋２）フレームＦｍ＋２及び第（ｍ＋３）フレームＦｍ＋３のそれぞれの後期に第２画像フレームＩＦ２のデータ信号を出力し、第（ｍ＋４）フレームＦｍ＋４及び第（ｍ＋５）フレームＦｍ＋５のそれぞれの後期に第３画像フレームＩＦ３のデータ信号を出力し、第（ｍ＋６）フレームＦｍ＋６及び第（ｍ＋７）フレームＦｍ＋７のそれぞれの後期に第４画像フレームＩＦ４のデータ信号を出力する（ＤＢ８＿ＤＡＴＡ）。
【０１７２】
光源駆動部６００は、タイミング制御部２００の制御によって液晶応答ＬＣが考慮された第８駆動信号ＬＢＳ８を生成して、第８表示ブロックＤＢ８に対向する第８発光ブロックＬＢ８に提供する。即ち、第８発光ブロックＬＢ８は、第８表示ブロックＤＢ８に第１、第２、第３、又は第４画像が完成する第１区間Ｔ１で光を発生して提供し、第８表示ブロックＤＢ８に第１、第２、第３、及び第４画像のうちの少なくとも二つの画像が混在して表示される第２区間Ｔ２で光を遮断する。
【０１７３】
シャッタメガネ部７００は、２次元４ビューアモードに従って、タイミング制御部２００の制御によって第１シャッタメガネ、第２シャッタメガネ、第３シャッタメガネ、及び第４シャッタメガネを駆動する（ステップＳ４７０）。
【０１７４】
シャッタメガネ部７００を制御する制御信号は、第１シャッタメガネの左眼及び右眼シャッタを同時に開閉するための第１シャッタ制御信号ＳＣＳ１と、第２シャッタメガネの左眼及び右眼シャッタを同時に開閉するための第２シャッタ制御信号ＳＣＳ２と、第３シャッタメガネの左眼及び右眼シャッタを同時に開閉するための第３シャッタ制御信号ＳＣＳ３と、第４シャッタメガネの左眼及び右眼シャッタを同時に開閉するための第４シャッタ制御信号ＳＣＳ４とを含む。
【０１７５】
第１シャッタ制御信号ＳＣＳ１は、表示ブロック（ＤＢ１、ＤＢ２、…、ＤＢ８）に表示される第１画像に対応して発光ブロック（ＬＢ１、ＬＢ２、…、ＬＢ８）が光を発生する第１区間Ｔ１を含む第１視認区間ＶＰ１で第１シャッタメガネのシャッタを開き、表示ブロック（ＤＢ１、ＤＢ２、…、ＤＢ８）に表示される第２画像、第３画像、及び第４画像に対応して発光ブロック（ＬＢ１、ＬＢ２、…、ＬＢ８）が光を発生する第１区間Ｔ１を含む第２、第３、及び第４視認区間（ＶＰ２、ＶＰ３、ＶＰ４）で第１シャッタメガネのシャッタを閉じるように制御する。
【０１７６】
第２シャッタ制御信号ＳＣＳ２は、表示ブロック（ＤＢ１、ＤＢ２、…、ＤＢ８）に表示される第２画像に対応して発光ブロック（ＬＢ１、ＬＢ２、…、ＬＢ８）が光を発生する第１区間Ｔ１を含む第２視認区間ＶＰ２で第２シャッタメガネのシャッタを開き、表示ブロック（ＤＢ１、ＤＢ２、…、ＤＢ８）に表示される第１画像、第３画像、及び第４画像に対応して発光ブロック（ＬＢ１、ＬＢ２、…、ＬＢ８）が光を発生する第１区間Ｔ１を含む第１、第３、及び第４視認区間（ＶＰ１、ＶＰ３、ＶＰ４）で第２シャッタメガネのシャッタを閉じるように制御する。
【０１７７】
第３シャッタ制御信号ＳＣＳ３は、表示ブロック（ＤＢ１、ＤＢ２、…、ＤＢ８）に表示される第３画像に対応して発光ブロック（ＬＢ１、ＬＢ２、…、ＬＢ８）が光を発生する第１区間Ｔ１を含む第３視認区間ＶＰ３で第３シャッタメガネのシャッタを開き、表示ブロック（ＤＢ１、ＤＢ２、…、ＤＢ８）に表示される第１画像、第２画像、及び第４画像に対応して発光ブロック（ＬＢ１、ＬＢ２、…、ＬＢ８）が光を発生する第１区間Ｔ１を含む第１、第２、及び第４区間（ＶＰ１、ＶＰ２、ＶＰ４）で第３シャッタメガネのシャッタを閉じるように制御する。
【０１７８】
第４シャッタ制御信号ＳＣＳ４は、表示ブロック（ＤＢ１、ＤＢ２、…、ＤＢ８）に表示される第４画像に対応して発光ブロック（ＬＢ１、ＬＢ２、…、ＬＢ８）が光を発生する第１区間Ｔ１を含む第４視認区間ＶＰ４で第４シャッタメガネのシャッタを開き、表示ブロック（ＤＢ１、ＤＢ２、…、ＤＢ８）に表示される第１画像、第２画像、及び第３画像に対応して発光ブロック（ＬＢ１、ＬＢ２、…、ＬＢ８）が光を発生する第１区間Ｔ１を含む第１、第２、及び第３視認区間（ＶＰ１、ＶＰ２、ＶＰ３）で第４シャッタメガネのシャッタを閉じるように制御する。
【０１７９】
このような方式によって、４人の観察者はそれぞれ異なる２次元画像を視認することができる。
【０１８０】
図２２は、図１の表示装置の他の実施形態による４コンテンツの２次元画像の表示方法を説明するための波形図である。
【０１８１】
図２、図２０、及び図２２を参照すると、画像処理部１００は、２次元４ビューアモードに対応する画像モード信号及び２次元画像信号を受信する（ステップＳ４１０）。
【０１８２】
画像処理部１００は、それぞれ異なる伝送チャネルを通じて受信した第１画像フレームＩＦ１、第２画像フレームＩＦ２、第３画像フレームＩＦ３、及び第４画像フレームＩＦ４を画像処理して複数の第１画像フレームＩＦ１、複数の第２画像フレームＩＦ２、複数の第３画像フレームＩＦ３、及び複数の第４画像フレームＩＦ４を出力する（ステップＳ４３０）。
【０１８３】
タイミング制御部２００は、２つの第１画像フレームＩＦ１、２つの第２画像フレームＩＦ２、２つの第３画像フレームＩＦ３、及び２つの第４画像フレームＩＦ４に基づいて、パネル駆動部４００及び光源駆動部６００を制御して表示パネル３００に４コンテンツの２次元画像を表示する（ステップＳ４５０）。
【０１８４】
図２２を参照すると、タイミング制御部２００は、隣接する互いに異なるコンテンツの画像間のクロストークを減らすためにそれぞれ異なる画像フレーム間にブラック画像フレームを挿入する。
【０１８５】
タイミング制御部２００は、第１画像フレームＩＦ１、ブラック画像フレームＢＦ、第２画像フレームＩＦ２、ブラック画像フレームＢＦ、第３画像フレームＩＦ３、ブラック画像フレームＢＦ、第４画像フレームＩＦ４、及びブラック画像フレームＢＦをパネル駆動部４００に順番どおりに提供する（ＤＡＴＡ＿ＯＵＴ）。パネル駆動部４００は、画像フレームの画像信号をアナログのデータ信号に変換してプログレッシブ方式で表示パネル３００に出力する。パネル駆動部４００は４８０Ｈｚで駆動できる。
【０１８６】
表示パネル３００の第１表示ブロックＤＢ１を調べると、パネル駆動部４００は、第ｍフレームＦｍの初期に第１画像フレームＩＦ１のデータ信号を出力し、第（ｍ＋１）フレームＦｍ＋１の初期にブラック画像フレームＢＦのデータ信号を出力し、第（ｍ＋２）フレームＦｍ＋２の初期に第２画像フレームＩＦ２のデータ信号を出力し、第（ｍ＋３）フレームＦｍ＋３の初期にブラック画像フレームＢＦのデータ信号を出力し、第（ｍ＋４）フレームＦｍ＋４の初期に第３画像フレームＩＦ３のデータ信号を出力し、第（ｍ＋５）フレームＦｍ＋５の初期にブラック画像フレームＢＦのデータ信号を出力し、第（ｍ＋６）フレームＦｍ＋６の初期に第４画像フレームＩＦ４のデータ信号を出力し、第（ｍ＋７）フレームＦｍ＋７の初期にブラック画像フレームＢＦのデータを出力する（ＤＢ１＿ＤＡＴＡ）。
【０１８７】
光源駆動部６００は、タイミング制御部２００の制御によって液晶応答ＬＣが考慮された第１駆動信号ＬＢＳ１を生成して、第１表示ブロックＤＢ１に対向する第１発光ブロックＬＢ１に提供する。即ち、第１発光ブロックＬＢ１は、第１表示ブロックＤＢ１に第１、第２、第３、又は第４画像が完成する第１区間Ｔ１で光を発生して提供し、第１表示ブロックＤＢ１に第１、第２、第３、及び第４画像のうちの少なくとも二つの画像が混在して表示される第２区間Ｔ２で光を遮断する。このような方式で、表示パネル３００及び光源部５００を駆動して４コンテンツの２次元画像を表示する。
【０１８８】
シャッタメガネ部７００を制御する制御信号は、第１シャッタメガネの左眼及び右眼シャッタを同時に開閉するための第１シャッタ制御信号ＳＣＳ１と、第２シャッタメガネの左眼及び右眼シャッタを同時に開閉するための第２シャッタ制御信号ＳＣＳ２と、第３シャッタメガネの左眼及び右眼シャッタを同時に開閉するための第３シャッタ制御信号ＳＣＳ３と、第４シャッタメガネの左眼及び右眼シャッタを同時に開閉するための第４シャッタ制御信号ＳＣＳ４とを含む。第１シャッタ制御信号ＳＣＳ１〜第４シャッタ制御信号ＳＣＳ４は、図２１で説明したものと実質的に同一に作動する。
【０１８９】
本実施形態による第１シャッタ制御信号ＳＣＳ１〜第４シャッタ制御信号ＳＣＳ４のそれぞれは、ブラック画像フレームＢＦにより、図２１に示した第１シャッタ制御信号ＳＣＳ１〜第４シャッタ制御信号ＳＣＳ４と遅延差を有する。
【０１９０】
図２３、図２４、及び図２５は、図１の表示装置に多様な方式で受信される４つの２次元画像信号の処理方法を説明するための概念図である。
【０１９１】
図１及び図２３を参照すると、同期部１１０は、同じ伝送チャネルを通じて転送された、第１画像信号Ｉ１及び第２画像信号Ｉ２がそれぞれ１／２に圧縮された圧縮画像フレームＣＦ１と、第３画像信号Ｉ３及び第４画像信号Ｉ４がそれぞれ１／２に圧縮された第２圧縮画像フレームＣＦ２とを受信する。圧縮方式は、サイドバイサイド方式、トップボトム方式、水平インターリーブ方式、垂直インターリーブ方式、及びチェッカ方式などを使用することができる。
【０１９２】
同期部１１０は、第１圧縮画像フレームＣＦ１及び第２圧縮画像フレームＣＦ２を、第１画像信号Ｉ１、第２画像信号Ｉ２、第３画像信号Ｉ３、及び第４画像信号Ｉ４に分離して、第１画像信号Ｉ１〜第４画像信号Ｉ４間の同期を合わせて出力する。
【０１９３】
スケーリング部１３０は、第１画像信号Ｉ１、第２画像信号Ｉ２、第３画像信号Ｉ３、及び第４画像信号Ｉ４のそれぞれを表示パネル３００の解像度でスケーリングして、第１画像フレームＩＦ１、第２画像フレームＩＦ２、第３画像フレームＩＦ３、及び第４画像フレームＩＦ４を出力する。スケーリング部１３０は、設定された順に第１画像フレームＩＦ１、第２画像フレームＩＦ２、第３画像フレームＩＦ３、及び第４画像フレームＩＦ４を出力する。
【０１９４】
追加画像生成部１５０は、第１画像フレームＩＦ１、第２画像フレームＩＦ２、第３画像フレームＩＦ３、及び第４画像フレームＩＦ４のそれぞれを繰り返して複数の第１画像フレームＩＦ１、ＩＦ１、複数の第２画像フレームＩＦ２、ＩＦ２、複数の第３画像フレームＩＦ３、ＩＦ３、及び複数の第４画像フレームＩＦ４、ＩＦ４を生成する。追加画像生成部１５０は、画像フレームのそれぞれからＭＥＭＣ方式を利用して複数の画像フレームを出力することができる。
【０１９５】
タイミング制御部２００、パネル駆動部４００、光源駆動部６００、及びシャッタメガネ部７００の駆動方式は、上述した図２及び図２０〜図２２を参照して説明したように実質的に同一に具現できるので繰り返しになる説明は省略する。
【０１９６】
図１及び図２４を参照すると、同期部１１０は、同じ伝送チャネルを通じて転送された第１画像フレームＩＦ１、第２画像フレームＩＦ２、第３画像フレームＩＦ３、及び第４画像フレームＩＦ４を受信する。同期部１１０は、第１画像フレームＩＦ１、第２画像フレームＩＦ２、第３画像フレームＩＦ３、及び第４画像フレームＩＦ４の間の同期を合わせてスケーリング部１３０に出力する。スケーリング部１３０は、第１画像フレームＩＦ１、第２画像フレームＩＦ２、第３画像フレームＩＦ３、及び第４画像フレームＩＦ４のそれぞれをスケーリングし、設定された順に追加画像生成部１５０に出力する。追加画像生成部１５０は、第１画像フレームＩＦ１、第２画像フレームＩＦ２、第３画像フレームＩＦ３、及び第４画像フレームＩＦ４のそれぞれを繰り返して複数の第１画像フレームＩＦ１、ＩＦ１、複数の第２画像フレームＩＦ２、ＩＦ２、複数の第３画像フレームＩＦ３、ＩＦ３、及び複数の第４画像フレームＩＦ４、ＩＦ４を出力する。追加画像生成部１５０は、画像フレームのそれぞれからＭＥＭＣ方式を利用して複数の画像フレームを出力することができる。
【０１９７】
以下、タイミング制御部２００、パネル駆動部４００、光源駆動部６００、及びシャッタメガネ部７００の駆動方式は、上述した図２及び図２０〜図２２を参照して説明したように実質的に同一に具現できるので繰り返しになる説明は省略する。
【０１９８】
図１及び図２５を参照すると、同期部１１０は、同じ伝送チャネルを通じて転送された第１画像信号Ｉ１、第２画像信号Ｉ２、第３画像信号Ｉ３、及び第４画像信号Ｉ４がそれぞれ１／４に圧縮された圧縮画像フレームＣＦを受信する。圧縮方式は、サイドバイサイド方式、トップボトム方式、水平インターリーブ方式、垂直インターリーブ方式、チェッカ方式、及びタイル方式などを使用することができる。
【０１９９】
同期部１１０は、圧縮画像フレームＣＦを、第１画像信号Ｉ１、第２画像信号Ｉ２、第３画像信号Ｉ３、及び第４画像信号Ｉ４に分離して、第１画像信号Ｉ１〜第４画像信号Ｉ４間の同期を合わせて出力する。
【０２００】
スケーリング部１３０及び追加画像生成部１５０は、第１画像信号Ｉ１〜第４画像信号Ｉ４を利用して、複数の第１画像フレームＩＦ１、ＩＦ１、複数の第２画像フレームＩＦ２、ＩＦ２、複数の第３画像フレームＩＦ３、ＩＦ３、及び複数の第４画像フレームＩＦ４、ＩＦ４を出力する。
【０２０１】
タイミング制御部２００、パネル駆動部４００、光源駆動部６００、及びシャッタメガネ部７００の駆動方式は、上述した図２及び図２０〜図２２を参照して説明したように実質的に同一に具現できるので繰り返しになる説明は省略する。
【０２０２】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【０２０３】
１００    画像処理部
１１０    同期部
１３０    スケーリング部
１５０    追加画像生成部
２００    タイミング制御部
３００    表示パネル
４００    パネル駆動部
４１０    データ駆動部
４３０    ゲート駆動部
５００    光源部
６００    光源駆動部
７００    シャッタメガネ部
７１０    左眼シャッタ
７２０    右眼シャッタ
【図１】
2012209938.tif 000003
【図２】
2012209938.tif 000004
【図３】
2012209938.tif 000005
【図４】
2012209938.tif 000006
【図５】
2012209938.tif 000007
【図６】
2012209938.tif 000008
【図７】
2012209938.tif 000009
【図８】
2012209938.tif 000010
【図９】
2012209938.tif 000011
【図１０】
2012209938.tif 000012
【図１１】
2012209938.tif 000013
【図１２】
2012209938.tif 000014
【図１３】
2012209938.tif 000015
【図１４】
2012209938.tif 000016
【図１５】
2012209938.tif 000017
【図１６】
2012209938.tif 000018
【図１７】
2012209938.tif 000019
【図１８】
2012209938.tif 000020
【図１９】
2012209938.tif 000021
【図２０】
2012209938.tif 000022
【図２１】
2012209938.tif 000023
【図２２】
2012209938.tif 000024
【図２３】
2012209938.tif 000025
【図２４】
2012209938.tif 000026
【図２５】
2012209938.tif 000027